(57)【要約】  本出願は、端末能力の取得方法および装置、コンピュータ記憶媒体を開示し、前記方法は、第１アクセスネットワーク機器が、端末の第１ＵＥ能力識別子情報または第１ＵＥ能力情報を取得することを含み、ここで、前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。
2021526336.tif 000002
【特許請求の範囲】
【請求項１】
端末能力の取得方法であって、
第１アクセスネットワーク機器が、端末の第１ユーザ機器（ＵＥ）能力識別子情報または第１ＵＥ能力情報を取得することを含み、
前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する、前記端末能力の取得方法。
【請求項２】
前記第１アクセスネットワーク機器が、端末の第１ＵＥ能力識別子情報を取得することは、
前記第１アクセスネットワーク機器が、コアネットワーク機器から前記端末の第１ＵＥ能力識別子情報を取得することを含む、
請求項１に記載の端末能力の取得方法。
【請求項３】
前記第１アクセスネットワーク機器が、コアネットワーク機器から前記端末の第１ＵＥ能力識別子情報を取得することは、
前記コアネットワーク機器が前記端末によって開始されたサービス要求を受信した後に、前記第１アクセスネットワーク機器が、前記第１アクセスネットワーク機器と前記コアネットワーク機器との間のインターフェースシグナリングを介して、前記コアネットワーク機器によって送信された前記端末の第１ＵＥ能力識別子情報を受信することを含む、
請求項２に記載の端末能力の取得方法。
【請求項４】
前記第１アクセスネットワーク機器が、コアネットワーク機器から前記端末の第１ＵＥ能力識別子情報を取得することは、
前記第１アクセスネットワーク機器が、ＵＥ能力識別子要求メッセージまたはＵＥ能力要求メッセージを前記コアネットワーク機器に送信することと、
前記第１アクセスネットワーク機器が、前記コアネットワーク機器によって送信された前記端末の第１ＵＥ能力識別子情報を受信することとを含む、
請求項２に記載の端末能力の取得方法。
【請求項５】
前記第１アクセスネットワーク機器が、ＵＥ能力識別子要求メッセージまたはＵＥ能力要求メッセージを前記コアネットワーク機器に送信することは、
前記第１アクセスネットワークが、前記端末から前記コアネットワーク機器に送信された初期メッセージを受信した後に、前記第１アクセスネットワーク機器と前記コアネットワーク機器との間のインターフェースシグナリングを介して、ＵＥ能力識別子要求メッセージまたはＵＥ能力要求メッセージを前記コアネットワーク機器に送信することを含む、
請求項４に記載の端末能力の取得方法。
【請求項６】
前記コアネットワーク機器は、
前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する、
請求項２ないし５のいずれか一項に記載の端末能力の取得方法。
【請求項７】
前記第１アクセスネットワーク機器または前記コアネットワーク機器が、前記端末から第１ＵＥ能力情報および対応する第１ＵＥ能力識別子情報を取得し、または、
前記第１アクセスネットワーク機器または前記コアネットワーク機器が、前記端末から第１ＵＥ能力情報を取得して、前記第１ＵＥ能力情報に対して、対応する第１ＵＥ能力識別子情報を割り当てる、
請求項２ないし５のいずれか一項に記載の端末能力の取得方法。
【請求項８】
前記第１アクセスネットワークは、前記端末から第１ＵＥ能力情報および対応する第１ＵＥ能力識別子情報を取得する場合、前記第１ＵＥ能力情報および対応する第１ＵＥ能力識別子情報を前記コアネットワークに送信する、
請求項７に記載の端末能力の取得方法。
【請求項９】
前記コアネットワークは、前記端末の第１ＵＥ能力情報および対応する第１ＵＥ能力識別子情報、および／または、前記端末の第１ＵＥ識別子情報を前記端末の契約サーバに送信する、
請求項７または８に記載の端末能力の取得方法。
【請求項１０】
前記端末の契約サーバは、前記端末の第１ＵＥ能力情報および対応する第１ＵＥ能力識別子情報、および／または、前記端末の第１ＵＥ識別子情報を保存または更新する、
請求項９に記載の端末能力の取得方法。
【請求項１１】
前記端末の第１ＵＥ能力情報および対応する第１ＵＥ能力識別子情報は、事前構成の方式により前記端末側に構成される、
請求項７ないし１０のいずれか一項に記載の端末能力の取得方法。
【請求項１２】
前記第１アクセスネットワーク機器または前記コアネットワーク機器は、前記端末から第１ＵＥ能力識別子情報を取得する時に、前記第１ＵＥ能力識別子情報が属する範囲情報をさらに取得し、前記範囲情報は、公衆陸上移動通信網（ＰＬＭＮ）情報、端末が属する製造業者情報、ネットワークオペレータ情報、サービスプロバイダ情報のうちの少なくとも１つを含む、
請求項７ないし１１のいずれか一項に記載の端末能力の取得方法。
【請求項１３】
前記端末が属する製造業者情報は、製造業者の識別子情報および製造業者の名称のうちの少なくとも１つを含む、
請求項１２に記載の端末能力の取得方法。
【請求項１４】
前記端末が属する製造業者情報に前記製造業者の識別子情報が含まれた場合、前記製造業者の識別子情報は、ＰＬＭＮに基づいて割り当てられ、または同じ機関によって割り当てられる、
請求項１３に記載の端末能力の取得方法。
【請求項１５】
前記範囲情報は、アプリケーション機能（ＡＦ）情報によって示される、
請求項１２に記載の端末能力の取得方法。
【請求項１６】
前記コアネットワークは、端末から前記第１ＵＥ能力識別子情報および前記第１ＵＥ能力識別子情報が属する範囲情報を取得した後に、前記範囲情報に属するＵＥ能力識別子情報とＵＥ能力情報との対応関係を決定し、前記対応関係に基づいて前記第１ＵＥ能力識別子情報に対応する第１ＵＥ能力情報を決定する、
請求項１２ないし１５のいずれか一項に記載の端末能力の取得方法。
【請求項１７】
前記コアネットワークは、ゲートウェイインターフェースを介して、前記端末によって報告された範囲情報に対応する外部サーバから前記対応関係を取得し、前記対応関係に従って、前記第１ＵＥ能力識別子情報に対応する第１ＵＥ能力情報を決定し、または、前記コアネットワークは、ゲートウェイインターフェースを介して、前記端末によって報告された範囲情報に対応する外部サーバから、前記第１ＵＥ能力識別子情報に対応する第１ＵＥ能力情報を取得するように要求する、
請求項１６に記載の端末能力の取得方法。
【請求項１８】
前記対応関係に更新が発生した場合、前記端末は、前記対応関係が更新されたことを指示する指示情報を前記コアネットワークに報告し、前記コアネットワークは、前記指示情報を受信した後に、前記端末によって報告された範囲情報に対応する外部サーバから、更新された対応関係を取得する、
請求項１６または１７に記載の端末能力の取得方法。
【請求項１９】
前記端末は、前記第１ＵＥ能力識別子情報を前記コアネットワークに報告する同時に、前記指示情報を前記コアネットワークに報告し、または、
前記端末は、前記第１ＵＥ能力識別子情報および前記指示情報をそれぞれ報告する、
請求項１８に記載の端末能力の取得方法。
【請求項２０】
前記コアネットワークが前記端末から前記第１ＵＥ能力識別子情報が前記対応関係に存在しないことを受信した場合、前記コアネットワークは、前記端末によって報告された範囲情報に対応する外部サーバから、更新された対応関係を取得し、または、前記コアネットワークは、前記端末によって報告された範囲情報に対応する外部サーバから、前記第１ＵＥ能力識別子情報に対応する第１ＵＥ能力情報を取得するように要求し、前記第１ＵＥ能力識別子情報と前記第１ＵＥ能力情報との対応関係を前記対応関係に追加する、
請求項１６または１７に記載の端末能力の取得方法。
【請求項２１】
前記コアネットワーク機器は、
前記端末の契約機器から前記端末の第１ＵＥ能力識別子情報を取得することにより、前記第１ＵＥ能力識別子情報を取得する、
請求項２ないし５のいずれか一項に記載の端末能力の取得方法。
【請求項２２】
前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む、
請求項２１に記載の端末能力の取得方法。
【請求項２３】
前記第１アクセスネットワーク機器が、端末の第１ＵＥ能力識別子情報を取得することは、
前記第１アクセスネットワーク機器が、前記端末の第１ＵＥ能力識別子情報を前記端末から取得することを含む、
請求項１に記載の端末能力の取得方法。
【請求項２４】
前記第１アクセスネットワーク機器が、前記端末の第１ＵＥ能力識別子情報を前記端末から取得することは、
前記第１アクセスネットワーク機器が、前記端末の第１ＵＥ識別子情報に従って、前記端末の第１ＵＥ能力識別子情報を前記端末から取得することを含む、
請求項２３に記載の端末能力の取得方法。
【請求項２５】
前記第１アクセスネットワーク機器が、前記端末の第１ＵＥ能力識別子情報を前記端末から取得することは、
前記第１アクセスネットワーク機器が、前記端末によって送信された第１ＵＥ能力識別子情報を受信することを含む、
請求項２３または２４に記載の端末能力の取得方法。
【請求項２６】
前記第１アクセスネットワーク機器が、前記端末によって送信された第１ＵＥ能力識別子情報を受信することは、
前記第１アクセスネットワーク機器が、ＵＥ能力識別子要求メッセージまたはＵＥ能力要求メッセージを前記端末に送信することと、
前記第１アクセスネットワーク機器が、前記端末によって送信された第１ＵＥ能力識別子情報を受信することとを含む、
請求項２５に記載の端末能力の取得方法。
【請求項２７】
前記第１アクセスネットワーク機器が、端末の第１ＵＥ能力識別子情報を取得することは、
前記第１アクセスネットワーク機器が、前記第２アクセスネットワーク機器から前記端末の第１ＵＥ能力識別子情報を取得することを含む、
請求項１に記載の端末能力の取得方法。
【請求項２８】
前記第１アクセスネットワーク機器が、前記第２アクセスネットワーク機器から前記端末の第１ＵＥ能力識別子情報を取得することは、
前記第１アクセスネットワーク機器が、前記端末の第１ＵＥ識別子情報に従って、前記第２アクセスネットワーク機器から前記端末の第１ＵＥ能力識別子情報を取得することを含む、
請求項２７に記載の端末能力の取得方法。
【請求項２９】
前記第１アクセスネットワーク機器は、
プロトコル合意を介して、前記ＵＥ能力識別子情報とＵＥ能力情報との対応関係を決定すること、
前記契約機器から、前記ＵＥ能力識別子情報とＵＥ能力情報との対応関係を取得すること、
前記ＵＥ能力識別子情報とＵＥ能力情報との対応関係を生成することのうちの少なくとも１つの方式により、前記ＵＥ能力識別子情報とＵＥ能力情報との対応関係を取得する、
請求項１ないし２８のいずれか一項に記載の端末能力の取得方法。
【請求項３０】
前記第１アクセスネットワーク機器が、前記端末の第１ＵＥ能力情報を取得することは、
前記第１アクセスネットワーク機器が、コアネットワーク機器から前記端末の第１ＵＥ能力情報を取得することを含む、
請求項１に記載の端末能力の取得方法。
【請求項３１】
前記第１アクセスネットワーク機器が、コアネットワーク機器から前記端末の第１ＵＥ能力情報を取得することは、
前記第１アクセスネットワーク機器が、前記端末の第１ＵＥ識別子情報に従って、コアネットワーク機器から前記端末の第１ＵＥ能力情報を取得することを含む、
請求項３０に記載の端末能力の取得方法。
【請求項３２】
前記第１アクセスネットワーク機器が、コアネットワーク機器から前記端末の第１ＵＥ能力情報を取得することは、
前記第１アクセスネットワーク機器が、前記第１アクセスネットワーク機器と前記コアネットワーク機器との間のインターフェースシグナリングを介して、前記コアネットワーク機器によって送信された前記端末の第１ＵＥ能力情報を受信することを含む、
請求項３０または３１に記載の端末能力の取得方法。
【請求項３３】
前記第１アクセスネットワーク機器が、コアネットワーク機器から前記端末の第１ＵＥ能力情報を取得することは、
前記第１アクセスネットワーク機器が、ＵＥ能力要求メッセージを前記コアネットワーク機器に送信することと、
前記第１アクセスネットワーク機器が、前記コアネットワーク機器によって送信された前記端末の第１ＵＥ能力情報を受信することとを含む、
請求項３０または３１に記載の端末能力の取得方法。
【請求項３４】
前記第１アクセスネットワーク機器が、ＵＥ能力識別子要求メッセージまたはＵＥ能力要求メッセージを前記コアネットワーク機器に送信することは、
前記第１アクセスネットワークが、前記端末から前記コアネットワーク機器に送信された初期メッセージを受信した後に、前記第１アクセスネットワーク機器と前記コアネットワーク機器との間のインターフェースシグナリングを介して、ＵＥ能力要求メッセージを前記コアネットワーク機器に送信することを含む、
請求項３３に記載の端末能力の取得方法。
【請求項３５】
前記第１アクセスネットワーク機器が、コアネットワーク機器から前記端末の第１ＵＥ能力情報を取得することは、
前記第１アクセスネットワーク機器が、前記端末の第１ＵＥ識別子情報を前記コアネットワーク機器に送信し、それにより、前記コアネットワーク機器は、前記端末の第１ＵＥ識別子情報に基づいて、前記端末の第１ＵＥ能力識別子情報を決定し、ＵＥ能力識別子情報とＵＥ能力情報との対応関係に基づいて、前記端末の第１ＵＥ能力情報を決定することを含む、
請求項３０ないし３４のいずれか一項に記載の端末能力の取得方法。
【請求項３６】
前記コアネットワーク機器は、
前記端末が、第１ＵＥ能力識別子情報を前記第１アクセスネットワーク機器または前記第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する、
請求項３５に記載の端末能力の取得方法。
【請求項３７】
前記コアネットワーク機器は、
前記端末の契約機器から前記端末の第１ＵＥ能力識別子情報を取得することにより、前記第１ＵＥ能力識別子情報を取得する、
請求項３５に記載の端末能力の取得方法。
【請求項３８】
前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む、
請求項３７に記載の端末能力の取得方法。
【請求項３９】
前記コアネットワーク機器は、
前記端末の契約機器から前記端末の第１ＵＥ能力情報を取得することにより、前記端末の第１ＵＥ能力情報を取得する、
請求項３５ないし３８のいずれか一項に記載の端末能力の取得方法。
【請求項４０】
前記コアネットワーク機器が、前記端末の契約機器から前記端末の第１ＵＥ能力情報を取得することは、
前記コアネットワーク機器が、前記端末の第１ＵＥ識別子情報および／または前記端末の第１ＵＥ能力識別子情報を前記契約機器に送信し、それにより、前記契約機器は、前記端末の第１ＵＥ識別子情報および／または前記端末の第１ＵＥ能力識別子情報に従って、前記端末の第１ＵＥ能力情報を決定し、前記端末の第１ＵＥ能力情報を前記コアネットワーク機器に送信することを含む、
請求項３９に記載の端末能力の取得方法。
【請求項４１】
前記端末の第１ＵＥ能力識別子情報は前記端末の第１ＵＥ識別子情報であり、または、
前記端末の第１ＵＥ能力識別子情報は、前記端末の第１ＵＥ識別子情報および特定の識別子情報に基づいて決定された識別子情報である、
請求項１ないし４０のいずれか一項に記載の端末能力の取得方法。
【請求項４２】
前記端末の第１ＵＥ能力識別子情報は、前記端末の永続的な識別子情報または前記端末の一時的な識別子情報を含む、
請求項１ないし４１のいずれか一項に記載の端末能力の取得方法。
【請求項４３】
前記端末の第１ＵＥ能力識別子情報は、サービスタイプに対するＵＥ能力識別子情報であり、前記第１ＵＥ能力識別子情報が前記端末によって報告される時に、前記端末は、前記第１ＵＥ能力識別子情報に対応するサービスタイプをさらに報告する、
請求項１ないし４２のいずれか一項に記載の端末能力の取得方法。
【請求項４４】
異なるサービスタイプに対応するＵＥ能力識別子情報の長さは異なる、
請求項４３に記載の端末能力の取得方法。
【請求項４５】
前記端末の第１ＵＥ能力識別子情報は、
グローバル範囲内、ＰＬＭＮ範囲内、端末が属する製造業者情報範囲内、ネットワークオペレータ情報範囲内、サービスプロバイダ情報範囲内、コアネットワーク機器範囲内、アクセスネットワーク機器範囲内、登録エリア範囲内のうちの少なくとも１つの範囲内で一意に決定される、
請求項１ないし４４のいずれか一項に記載の端末能力の取得方法。
【請求項４６】
前記ＵＥ能力識別子情報とＵＥ能力情報との対応関係は、範囲情報に基づいて決定され、前記第１アクセスネットワーク機器側または前記コアネットワーク機器側または前記契約機器側は、前記端末によって登録または選択された第１範囲情報に従って、前記第１範囲情報に対応するＵＥ能力識別子情報とＵＥ能力情報との対応関係を決定し、それにより、前記端末の第１ＵＥ能力識別子情報に対応する第１ＵＥ能力情報を決定し、
前記範囲情報は、ＰＬＭＮ情報、端末が属する製造業者情報、ネットワークオペレータ情報、サービスプロバイダ情報のうちの少なくとも１つを含む、
請求項１ないし４５のいずれか一項に記載の端末能力の取得方法。
【請求項４７】
前記端末の第１ＵＥ能力識別子情報はＰＬＭＮに基づいて決定され、前記第１アクセスネットワーク機器側または前記コアネットワーク機器側または前記契約機器側は、前記端末によって登録または選択された第１ＰＬＭＮに従って、前記第１ＰＬＭＮに対応する第１ＵＥ能力識別子情報を決定する、
請求項４６に記載の端末能力の取得方法。
【請求項４８】
前記端末によって同時に登録または選択されるＰＬＭＮは１つまたは複数であり、前記端末は、対応するＵＥ能力識別子情報を各ＰＬＭＮに対して報告する、
請求項４６または４７に記載の端末能力の取得方法。
【請求項４９】
前記ＵＥ能力識別子情報とＵＥ能力情報との対応関係はネットワークスライスに基づいて決定され、前記第１アクセスネットワーク機器側または前記コアネットワーク機器側または前記契約機器側は、前記端末によって登録または選択された第１ネットワークスライスに従って、前記第１ネットワークスライスに対応するＵＥ能力識別子情報とＵＥ能力情報との対応関係を決定し、それにより、前記端末の第１ＵＥ能力識別子情報に対応する第１ＵＥ能力情報を決定する、
請求項１ないし４５のいずれか一項に記載の端末能力の取得方法。
【請求項５０】
前記端末の第１ＵＥ能力識別子情報は、ネットワークスライスに基づいて決定され、前記第１アクセスネットワーク機器側または前記コアネットワーク機器側または前記契約機器側は、前記端末によって登録または選択された第１ネットワークスライスに従って、前記第１ネットワークスライスに対応する第１ＵＥ能力識別子情報を決定する、
請求項４９に記載の端末能力の取得方法。
【請求項５１】
前記端末によって同時に登録または選択されたネットワークスライスは１つまたは複数であり、前記端末は、対応するＵＥ能力識別子情報を各ネットワークスライスに対して報告する、
請求項４９または５０に記載の端末能力の取得方法。
【請求項５２】
前記端末の第１ＵＥ能力識別子情報と第１ＵＥ能力情報との対応関係がＰＬＭＮに基づいて決定された場合、前記第１ＵＥ能力識別子情報はＰＬＭＮに基づく情報であり、前記ＰＬＭＮベースの第１ＵＥ能力識別子情報は異なるフォーマットを有し、前記フォーマットは、ＵＥ能力識別子情報の長さおよび／またはＵＥ能力識別子情報に含まれた情報を指す、
請求項５１に記載の端末能力の取得方法。
【請求項５３】
前記ＰＬＭＮベースの第１ＵＥ能力識別子情報のフォーマットはプロトコルで事前に定義される、
請求項５２に記載の端末能力の取得方法。
【請求項５４】
前記第１ＵＥ能力識別子情報が前記端末によって報告される時に、前記端末は、前記第１ＵＥ能力識別子情報によってサポートされるフォーマット情報をさらに報告する、
請求項５２または５３に記載の端末能力の取得方法。
【請求項５５】
端末能力の取得装置であって、
端末の第１ＵＥ能力識別子情報または第１ＵＥ能力情報を取得するように構成される取得ユニットを備え、
前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する、前記端末能力の取得装置。
【請求項５６】
前記取得ユニットは、
コアネットワーク機器から前記端末の第１ＵＥ能力識別子情報を取得するように構成される第１取得サブユニットを備える、
請求項５５に記載の端末能力の取得装置。
【請求項５７】
前記第１取得サブユニットは、前記コアネットワーク機器が前記端末によって開始されたサービス要求を受信した後に、前記第１アクセスネットワーク機器と前記コアネットワーク機器との間のインターフェースシグナリングを介して、前記コアネットワーク機器によって送信された前記端末の第１ＵＥ能力識別子情報を受信するように構成される、
請求項５６に記載の端末能力の取得装置。
【請求項５８】
前記第１取得サブユニットは、ＵＥ能力識別子要求メッセージまたはＵＥ能力要求メッセージを前記コアネットワーク機器に送信し、前記コアネットワーク機器によって送信された前記端末の第１ＵＥ能力識別子情報を受信するように構成される、
請求項５６に記載の端末能力の取得装置。
【請求項５９】
前記第１取得サブユニットは、前記端末から前記コアネットワーク機器に送信された初期メッセージを受信した後に、前記第１アクセスネットワーク機器と前記コアネットワーク機器との間のインターフェースシグナリングを介して、ＵＥ能力識別子要求メッセージまたはＵＥ能力要求メッセージを前記コアネットワーク機器に送信するように構成される、
請求項５８に記載の端末能力の取得装置。
【請求項６０】
前記コアネットワーク機器は、
前記端末が、第１ＵＥ能力識別子情報を前記第１アクセスネットワーク機器または前記第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する、
請求項５６ないし５９のいずれか一項に記載の端末能力の取得装置。
【請求項６１】
前記第１アクセスネットワーク機器または前記コアネットワーク機器が、前記端末から第１ＵＥ能力情報および対応する第１ＵＥ能力識別子情報を取得し、または、
前記第１アクセスネットワーク機器または前記コアネットワーク機器が、前記端末から第１ＵＥ能力情報を取得して、前記第１ＵＥ能力情報に対して、対応する第１ＵＥ能力識別子情報を割り当てる、
請求項５６ないし５９のいずれか一項に記載の端末能力の取得装置。
【請求項６２】
前記第１アクセスネットワークは、前記端末から第１ＵＥ能力情報および対応する第１ＵＥ能力識別子情報を取得する場合、前記第１ＵＥ能力情報および対応する第１ＵＥ能力識別子情報を前記コアネットワークに送信する、
請求項６１に記載の端末能力の取得装置。
【請求項６３】
前記コアネットワークは、前記端末の第１ＵＥ能力情報および対応する第１ＵＥ能力識別子情報、および／または、前記端末の第１ＵＥ識別子情報を前記端末の契約サーバに送信する、
請求項６１または６２に記載の端末能力の取得装置。
【請求項６４】
前記端末の契約サーバは、前記端末の第１ＵＥ能力情報および対応する第１ＵＥ能力識別子情報、および／または、前記端末の第１ＵＥ識別子情報を保存または更新する、
請求項６３に記載の端末能力の取得装置。
【請求項６５】
前記端末の第１ＵＥ能力情報および対応する第１ＵＥ能力識別子情報は、事前構成の方式により前記端末側に構成される、
請求項６１ないし６４のいずれか一項に記載の端末能力の取得装置。
【請求項６６】
前記第１アクセスネットワーク機器または前記コアネットワーク機器は、前記端末から第１ＵＥ能力識別子情報を取得する時に、前記第１ＵＥ能力識別子情報が属する範囲情報をさらに取得し、前記範囲情報は、公衆陸上移動通信網（ＰＬＭＮ）情報、端末が属する製造業者情報、ネットワークオペレータ情報、サービスプロバイダ情報のうちの少なくとも１つを含む、
請求項６１ないし６５のいずれか一項に記載の端末能力の取得装置。
【請求項６７】
前記端末が属する製造業者情報は、製造業者の識別子情報および製造業者の名称のうちの少なくとも１つを含む、
請求項６６に記載の端末能力の取得装置。
【請求項６８】
前記端末が属する製造業者情報に前記製造業者の識別子情報が含まれた場合、前記製造業者の識別子情報は、ＰＬＭＮに基づいて割り当てられ、または同じ機関によって割り当てられる、
請求項６７に記載の端末能力の取得装置。
【請求項６９】
前記範囲情報は、アプリケーション機能（ＡＦ）情報によって示される、
請求項６６に記載の端末能力の取得装置。
【請求項７０】
前記コアネットワークは、前記端末から前記第１ＵＥ能力識別子情報および前記第１ＵＥ能力識別子情報が属する範囲情報を取得した後に、前記範囲情報に属するＵＥ能力識別子情報とＵＥ能力情報との対応関係を決定し、前記対応関係に基づいて前記第１ＵＥ能力識別子情報に対応する第１ＵＥ能力情報を決定する、
請求項６６ないし６９のいずれか一項に記載の端末能力の取得装置。
【請求項７１】
前記コアネットワークは、ゲートウェイインターフェースを介して、前記端末によって報告された範囲情報に対応する外部サーバから前記対応関係を取得し、前記対応関係に従って、前記第１ＵＥ能力識別子情報に対応する第１ＵＥ能力情報を決定し、または、前記コアネットワークは、ゲートウェイインターフェースを介して、前記端末によって報告された範囲情報に対応する外部サーバから、前記第１ＵＥ能力識別子情報に対応する第１ＵＥ能力情報を取得するように要求する、
請求項７０に記載の端末能力の取得装置。
【請求項７２】
前記対応関係に更新が発生した場合、前記端末は、前記対応関係が更新されたことを指示する指示情報を前記コアネットワークに報告し、前記コアネットワークは、前記指示情報を受信した後に、前記端末によって報告された範囲情報に対応する外部サーバから、更新された対応関係を取得する、
請求項７０または７１に記載の端末能力の取得装置。
【請求項７３】
前記端末は、前記第１ＵＥ能力識別子情報を前記コアネットワークに報告する同時に、前記指示情報を前記コアネットワークに報告し、または、
前記端末は、前記第１ＵＥ能力識別子情報および前記指示情報をそれぞれ報告する、
請求項７２に記載の端末能力の取得装置。
【請求項７４】
前記コアネットワークが前記端末から前記第１ＵＥ能力識別子情報が前記対応関係に存在しないことを受信した場合、前記コアネットワークは、前記端末によって報告された範囲情報に対応する外部サーバから、更新された対応関係を取得し、または、前記コアネットワークは、前記端末によって報告された範囲情報に対応する外部サーバから、前記第１ＵＥ能力識別子情報に対応する第１ＵＥ能力情報を取得するように要求し、前記第１ＵＥ能力識別子情報と前記第１ＵＥ能力情報との対応関係を前記対応関係に追加する、
請求項７０または７１に記載の端末能力の取得装置。
【請求項７５】
前記コアネットワーク機器は、
前記端末の契約機器から前記端末の第１ＵＥ能力識別子情報を取得することにより、前記第１ＵＥ能力識別子情報を取得する、
請求項５６ないし５９のいずれか一項に記載の端末能力の取得装置。
【請求項７６】
前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む、
請求項７５に記載の端末能力の取得装置。
【請求項７７】
前記取得ユニットは、
前記端末の第１ＵＥ能力識別子情報を前記端末から取得するように構成される第２取得サブユニットを備える、
請求項５５に記載の端末能力の取得装置。
【請求項７８】
前記第２取得サブユニットは、前記端末の第１ＵＥ識別子情報に従って、前記端末の第１ＵＥ能力識別子情報を前記端末から取得するように構成される、
請求項７７に記載の端末能力の取得装置。
【請求項７９】
前記第２取得サブユニットは、前記端末によって送信された第１ＵＥ能力識別子情報を受信するように構成される、
請求項７７または７８に記載の端末能力の取得装置。
【請求項８０】
前記第２取得サブユニットは、ＵＥ能力識別子要求メッセージまたはＵＥ能力要求メッセージを前記端末に送信し、前記端末によって送信された第１ＵＥ能力識別子情報を受信するように構成される、
請求項７９に記載の端末能力の取得装置。
【請求項８１】
前記取得ユニットは、
前記第２アクセスネットワーク機器から前記端末の第１ＵＥ能力識別子情報を取得するように構成される第３取得サブユニットを備える、
請求項７９に記載の端末能力の取得装置。
【請求項８２】
前記第３取得サブユニットは、前記端末の第１ＵＥ識別子情報に従って、前記第２アクセスネットワーク機器から、前記端末の第１ＵＥ能力識別子情報を取得するように構成される、
請求項８１に記載の端末能力の取得装置。
【請求項８３】
前記取得ユニットは、さらに、
プロトコル合意を介して、前記ＵＥ能力識別子情報とＵＥ能力情報との対応関係を決定すること、
前記契約機器から、前記ＵＥ能力識別子情報とＵＥ能力情報との対応関係を取得すること、
前記ＵＥ能力識別子情報とＵＥ能力情報との対応関係を生成することのうちの少なくとも１つの方式により、前記ＵＥ能力識別子情報とＵＥ能力情報との対応関係を取得するように構成される、
請求項５５ないし８２のいずれか一項に記載の端末能力の取得装置。
【請求項８４】
前記取得ユニットは、
前記コアネットワーク機器から前記端末の第１ＵＥ能力情報を取得するように構成される第４取得サブユニットを備える、
請求項５５に記載の端末能力の取得装置。
【請求項８５】
前記第４取得サブユニットは、前記端末の第１ＵＥ識別子情報に従って、前記コアネットワーク機器から前記端末の第１ＵＥ能力情報を取得するように構成される、
請求項８４に記載の端末能力の取得装置。
【請求項８６】
前記第４取得サブユニットは、前記コアネットワーク機器が前記端末によって開始されたサービス要求を受信した後に、第１アクセスネットワーク機器と前記コアネットワーク機器との間のインターフェースシグナリングを介して、前記コアネットワーク機器によって送信された前記端末の第１ＵＥ能力情報を受信するように構成される、
請求項８４または８５に記載の端末能力の取得装置。
【請求項８７】
前記第４取得サブユニットは、ＵＥ能力要求メッセージを前記コアネットワーク機器に送信し、前記コアネットワーク機器によって送信された前記端末の第１ＵＥ能力情報を受信するように構成される、
請求項８４または８５に記載の端末能力の取得装置。
【請求項８８】
前記第４取得サブユニットは、前記端末から前記コアネットワーク機器に送信された初期メッセージを受信した後に、前記第１アクセスネットワーク機器と前記コアネットワーク機器との間のインターフェースシグナリングを介して、ＵＥ能力要求メッセージを前記コアネットワーク機器に送信するように構成される、
請求項８７に記載の端末能力の取得装置。
【請求項８９】
前記第４取得サブユニットは、前記端末の第１ＵＥ識別子情報を前記コアネットワーク機器に送信し、それにより、前記コアネットワーク機器は、前記端末の第１ＵＥ識別子情報に基づいて、前記端末の第１ＵＥ能力識別子情報を決定し、ＵＥ能力識別子情報とＵＥ能力情報との対応関係に基づいて、前記端末の第１ＵＥ能力情報を決定するように構成される、
請求項８４ないし８８のいずれか一項に記載の端末能力の取得装置。
【請求項９０】
前記コアネットワーク機器は、
前記端末が、第１ＵＥ能力識別子情報を前記第１アクセスネットワーク機器または前記第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する、
請求項８９に記載の端末能力の取得装置。
【請求項９１】
前記コアネットワーク機器は、
前記端末の契約機器から前記端末の第１ＵＥ能力識別子情報を取得することにより、前記第１ＵＥ能力識別子情報を取得する、
請求項８９に記載の端末能力の取得装置。
【請求項９２】
前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む、
請求項９１に記載の端末能力の取得装置。
【請求項９３】
前記コアネットワーク機器は、
前記端末の契約機器から前記端末の第１ＵＥ能力情報を取得することにより、前記端末の第１ＵＥ能力情報を取得する、
請求項８９ないし９２のいずれか一項に記載の端末能力の取得装置。
【請求項９４】
前記コアネットワーク機器が、前記端末の契約機器から、前記端末の第１ＵＥ能力情報を取得することは、
前記コアネットワーク機器が、前記端末の第１ＵＥ識別子情報および／または前記端末の第１ＵＥ能力識別子情報を前記契約機器に送信し、それにより、前記契約機器は、前記端末の第１ＵＥ識別子情報および／または前記端末の第１ＵＥ能力識別子情報に従って、前記端末の第１ＵＥ能力情報を決定し、前記端末の第１ＵＥ能力情報を前記コアネットワーク機器に送信することを含む、
請求項９３に記載の端末能力の取得装置。
【請求項９５】
前記端末の第１ＵＥ能力識別子情報は、前記端末の第１ＵＥ識別子情報であり、または、
前記端末の第１ＵＥ能力識別子情報は、前記端末の第１ＵＥ識別子情報および特定の識別子情報に基づいて決定された識別子情報である、
請求項５５ないし９４のいずれか一項に記載の端末能力の取得装置。
【請求項９６】
前記端末の第１ＵＥ能力識別子情報は、前記端末の永続的な識別子情報または前記端末の一時的な識別子情報を含む、
請求項５５ないし９５のいずれか一項に記載の端末能力の取得装置。
【請求項９７】
前記端末の第１ＵＥ能力識別子情報は、サービスタイプに対するＵＥ能力識別子情報であり、前記第１ＵＥ能力識別子情報が前記端末によって報告される時に、前記端末は、前記第１ＵＥ能力識別子情報に対応するサービスタイプをさらに報告する、
請求項５５ないし９６のいずれか一項に記載の端末能力の取得装置。
【請求項９８】
異なるサービスタイプに対応するＵＥ能力識別子情報の長さは異なる、
請求項９７に記載の端末能力の取得装置。
【請求項９９】
前記端末の第１ＵＥ能力識別子情報は、
グローバル範囲内、ＰＬＭＮ範囲内、コアネットワーク機器範囲内、アクセスネットワーク機器範囲内、登録エリア範囲内のうちの少なくとも１つの範囲内で一意に決定される、
請求項５５ないし９８のいずれか一項に記載の端末能力の取得装置。
【請求項１００】
前記ＵＥ能力識別子情報とＵＥ能力情報との対応関係は、ＰＬＭＮに基づいて決定され、前記第１アクセスネットワーク機器側または前記コアネットワーク機器側または前記契約機器側は、前記端末によって登録または選択された第１ＰＬＭＮに従って、前記第１ＰＬＭＮに対応するＵＥ能力識別子情報とＵＥ能力情報との対応関係を決定し、それにより、前記端末の第１ＵＥ能力識別子情報に対応する第１ＵＥ能力情報を決定する、
請求項５５ないし９９のいずれか一項に記載の端末能力の取得装置。
【請求項１０１】
前記端末の第１ＵＥ能力識別子情報はＰＬＭＮに基づいて決定され、前記第１アクセスネットワーク機器側または前記コアネットワーク機器側または前記契約機器側は、前記端末によって登録または選択された第１ＰＬＭＮに従って、前記第１ＰＬＭＮに対応する第１ＵＥ能力識別子情報を決定する、
請求項１００に記載の端末能力の取得装置。
【請求項１０２】
前記端末によって同時に登録または選択されるＰＬＭＮは１つまたは複数であり、前記端末は、対応するＵＥ能力識別子情報を各ＰＬＭＮに対して報告する、
請求項１００または１０１に記載の端末能力の取得装置。
【請求項１０３】
前記ＵＥ能力識別子情報とＵＥ能力情報との対応関係は、ネットワークスライスに基づいて決定され、前記第１アクセスネットワーク機器側または前記コアネットワーク機器側または前記契約機器側は、前記端末によって登録または選択された第１ネットワークスライスに従って、前記第１ネットワークスライスに対応するＵＥ能力識別子情報とＵＥ能力情報との対応関係を決定し、それにより、前記端末の第１ＵＥ能力識別子情報に対応する第１ＵＥ能力情報を決定する、
請求項５５ないし１０２のいずれか一項に記載の端末能力の取得装置。
【請求項１０４】
前記端末の第１ＵＥ能力識別子情報は、ネットワークスライスに基づいて決定され、前記第１アクセスネットワーク機器側または前記コアネットワーク機器側または前記契約機器側は、前記端末によって登録または選択された第１ネットワークスライスに従って、前記第１ネットワークスライスに対応する第１ＵＥ能力識別子情報を決定する、
請求項１０３に記載の端末能力の取得装置。
【請求項１０５】
前記端末によって同時に登録または選択されたネットワークスライスは１つまたは複数であり、前記端末は、対応するＵＥ能力識別子情報を各ネットワークスライスに対して報告する、
請求項１０３または１０４に記載の端末能力の取得装置。
【請求項１０６】
前記端末の第１ＵＥ能力識別子情報と第１ＵＥ能力情報との対応関係がＰＬＭＮに基づいて決定された場合、前記第１ＵＥ能力識別子情報はＰＬＭＮに基づく情報であり、前記ＰＬＭＮベースの第１ＵＥ能力識別子情報は異なるフォーマットを有し、前記フォーマットは、ＵＥ能力識別子情報の長さおよび／またはＵＥ能力識別子情報に含まれた情報を指す、
請求項１０５に記載の端末能力の取得装置。
【請求項１０７】
前記ＰＬＭＮベースの第１ＵＥ能力識別子情報のフォーマットはプロトコルで事前に定義される、
請求項１０６に記載の端末能力の取得装置。
【請求項１０８】
前記第１ＵＥ能力識別子情報が前記端末によって報告される時に、前記端末は、前記第１ＵＥ能力識別子情報によってサポートされるフォーマット情報をさらに報告する、
請求項１０６または１０７に記載の端末能力の取得装置。
【請求項１０９】
コンピュータ実行可能な命令が記憶された、コンピュータ記憶媒体であって、
当該コンピュータ実行可能な命令がプロセッサによって実行されると、請求項１ないし５４のいずれか一項に記載の方法のステップを実現する、前記コンピュータ記憶媒体。
【発明の詳細な説明】
【技術分野】
【０００１】
本出願は、無線通信の技術分野に関し、特に、端末能力の取得方法および装置、コンピュータ記憶媒体に関する。
【背景技術】
【０００２】
現在、端末の能力情報（ＵＥ能力情報と略称）は、登録中または登録の更新中にアクセスネットワークに報告され、続いて、アクセスネットワークは、端末の能力情報をコアネットワークに送信して保存する。端末が接続確立要求または接続回復要求を開始すると、アクセスネットワークは、当該端末の能力情報をコアネットワークに要求し、その後、当該端末の能力情報に従って、対応する構成を端末に提供する。
【０００３】
端末がサポートする特性の増加に伴い、端末の能力情報はますます大きくなり、端末の能力情報の伝送に対して膨大なシグナリングオーバーヘッドをもたらす同時に、コアネットワークは、端末の能力情報の全てを保存する必要があるが、これは、コアネットワークにより大きな課題をもたらす。
【発明の概要】
【発明が解決しようとする課題】
【０００４】
本出願の実施例は、端末能力の取得方法および装置、コンピュータ記憶媒体を提供する。
【課題を解決するための手段】
【０００５】
本出願の実施例で提供された端末能力の取得方法は、
第１アクセスネットワーク機器が、端末の第１ＵＥ能力識別子情報または第１ＵＥ能力情報を取得することを含み、
ここで、前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。
【０００６】
一実施形態において、前記第１アクセスネットワーク機器が、端末の第１ＵＥ能力識別子情報を取得することは、
前記第１アクセスネットワーク機器が、コアネットワーク機器から前記端末の第１ＵＥ能力識別子情報を取得することを含む。
【０００７】
一実施形態において、前記第１アクセスネットワーク機器が、コアネットワーク機器から前記端末の第１ＵＥ能力識別子情報を取得することは、
前記コアネットワーク機器が前記端末によって開始されたサービス要求を受信した後に、前記第１アクセスネットワーク機器が、前記第１アクセスネットワーク機器と前記コアネットワーク機器との間のインターフェースシグナリングを介して、前記コアネットワーク機器によって送信された前記端末の第１ＵＥ能力識別子情報を受信することを含む。
【０００８】
一実施形態において、前記第１アクセスネットワーク機器が、コアネットワーク機器から前記端末の第１ＵＥ能力識別子情報を取得することは、
前記第１アクセスネットワーク機器が、ＵＥ能力識別子要求メッセージまたはＵＥ能力要求メッセージを前記コアネットワーク機器に送信することと、
前記第１アクセスネットワーク機器が、前記コアネットワーク機器によって送信された前記端末の第１ＵＥ能力識別子情報を受信することとを含む。
【０００９】
一実施形態において、前記第１アクセスネットワーク機器が、ＵＥ能力識別子要求メッセージまたはＵＥ能力要求メッセージを前記コアネットワーク機器に送信することは、
前記第１アクセスネットワークが、前記端末から前記コアネットワーク機器に送信された初期メッセージを受信した後に、第１アクセスネットワーク機器と前記コアネットワーク機器との間のインターフェースシグナリングを介して、ＵＥ能力識別子要求メッセージまたはＵＥ能力要求メッセージを前記コアネットワーク機器に送信することを含む。
【００１０】
一実施形態において、前記コアネットワーク機器は、
前記端末が、第１ＵＥ能力識別子情報を前記第１アクセスネットワーク機器または前記第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する。
【００１１】
一実施形態において、前記コアネットワーク機器は、
前記端末の契約機器から前記端末の第１ＵＥ能力識別子情報を取得することにより、第１ＵＥ能力識別子情報を取得する。
【００１２】
一実施形態において、前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む。
【００１３】
一実施形態において、前記第１アクセスネットワーク機器が、端末の第１ＵＥ能力識別子情報を取得することは、
前記第１アクセスネットワーク機器が、前記端末の第１ＵＥ能力識別子情報を前記端末から取得することを含む。
【００１４】
一実施形態において、前記第１アクセスネットワーク機器が、前記端末の第１ＵＥ能力識別子情報を前記端末から取得することは、
前記第１アクセスネットワーク機器が、前記端末の第１ＵＥ識別子情報に従って、前記端末の第１ＵＥ能力識別子情報を前記端末から取得することを含む。
【００１５】
一実施形態において、前記第１アクセスネットワーク機器が、前記端末の第１ＵＥ能力識別子情報を前記端末から取得することは、
前記第１アクセスネットワーク機器が、前記端末によって送信された第１ＵＥ能力識別子情報を受信することを含む。
【００１６】
一実施形態において、前記第１アクセスネットワーク機器が、前記端末によって送信された第１ＵＥ能力識別子情報を受信することは、
前記第１アクセスネットワーク機器が、ＵＥ能力識別子要求メッセージまたはＵＥ能力要求メッセージを前記端末に送信することと、
前記第１アクセスネットワーク機器が、前記端末によって送信された第１ＵＥ能力識別子情報を受信することとを含む。
【００１７】
一実施形態において、前記第１アクセスネットワーク機器が、端末の第１ＵＥ能力識別子情報を取得することは、
前記第１アクセスネットワーク機器が、第２アクセスネットワーク機器から、前記端末の第１ＵＥ能力識別子情報を取得することを含む。
【００１８】
一実施形態において、前記第１アクセスネットワーク機器が、第２アクセスネットワーク機器から、前記端末の第１ＵＥ能力識別子情報を取得することは、
前記第１アクセスネットワーク機器が、前記端末の第１ＵＥ識別子情報に従って、前記第２アクセスネットワーク機器から、前記端末の第１ＵＥ能力識別子情報を取得することを含む。
【００１９】
一実施形態において、前記第１アクセスネットワーク機器は、
プロトコル合意を介して、前記ＵＥ能力識別子情報とＵＥ能力情報との対応関係を決定すること、
前記契約機器から、前記ＵＥ能力識別子情報とＵＥ能力情報との対応関係を取得すること、
前記ＵＥ能力識別子情報とＵＥ能力情報との対応関係を生成することのうちの少なくとも１つの方式により、前記ＵＥ能力識別子情報とＵＥ能力情報との対応関係を取得する。
【００２０】
一実施形態において、前記第１アクセスネットワーク機器が、端末の第１ＵＥ能力情報を取得することは、
前記第１アクセスネットワーク機器が、コアネットワーク機器から前記端末の第１ＵＥ能力情報を取得することを含む。
【００２１】
一実施形態において、前記第１アクセスネットワーク機器が、コアネットワーク機器から前記端末の第１ＵＥ能力情報を取得することは、
前記第１アクセスネットワーク機器が、前記端末の第１ＵＥ識別子情報に従って、コアネットワーク機器から前記端末の第１ＵＥ能力情報を取得することを含む。
【００２２】
一実施形態において、前記第１アクセスネットワーク機器が、コアネットワーク機器から前記端末の第１ＵＥ能力情報を取得することは、
前記第１アクセスネットワーク機器が、前記第１アクセスネットワーク機器と前記コアネットワーク機器との間のインターフェースシグナリングを介して、前記コアネットワーク機器によって送信された前記端末の第１ＵＥ能力情報を受信することを含む。
【００２３】
一実施形態において、前記第１アクセスネットワーク機器が、コアネットワーク機器から前記端末の第１ＵＥ能力情報を取得することは、
前記第１アクセスネットワーク機器が、ＵＥ能力要求メッセージを前記コアネットワーク機器に送信することと、
前記第１アクセスネットワーク機器が、前記コアネットワーク機器によって送信された前記端末の第１ＵＥ能力情報を受信することとを含む。
【００２４】
一実施形態において、前記第１アクセスネットワーク機器が、ＵＥ能力識別子要求メッセージまたはＵＥ能力要求メッセージを前記コアネットワーク機器に送信することは、
前記第１アクセスネットワークが、前記端末から前記コアネットワーク機器に送信された初期メッセージを受信した後に、第１アクセスネットワーク機器と前記コアネットワーク機器との間のインターフェースシグナリングを介して、ＵＥ能力要求メッセージを前記コアネットワーク機器に送信することを含む。
【００２５】
一実施形態において、前記第１アクセスネットワーク機器が、コアネットワーク機器から前記端末の第１ＵＥ能力情報を取得することは、
前記第１アクセスネットワーク機器が、前記端末の第１ＵＥ識別子情報を前記コアネットワーク機器に送信し、それにより、前記コアネットワーク機器は、前記端末の第１ＵＥ識別子情報に基づいて、前記端末の第１ＵＥ能力識別子情報を決定し、ＵＥ能力識別子情報とＵＥ能力情報との対応関係に基づいて、前記端末の第１ＵＥ能力情報を決定することを含む。
【００２６】
一実施形態において、前記コアネットワーク機器は、
前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する。
【００２７】
一実施形態において、前記コアネットワーク機器は、
前記端末の契約機器から前記端末の第１ＵＥ能力識別子情報を取得することにより、第１ＵＥ能力識別子情報を取得する。
【００２８】
一実施形態において、前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む。
【００２９】
一実施形態において、前記コアネットワーク機器は、
前記端末の契約機器から前記端末の第１ＵＥ能力情報を取得することにより、前記端末の第１ＵＥ能力情報を取得する。
【００３０】
一実施形態において、前記コアネットワーク機器が、前記端末の契約機器から、前記端末の第１ＵＥ能力情報を取得することは、
前記コアネットワーク機器が、前記端末の第１ＵＥ識別子情報および／または前記端末の第１ＵＥ能力識別子情報を前記契約機器に送信し、それにより、前記契約機器は、端末の第１ＵＥ識別子情報および／または前記端末の第１ＵＥ能力識別子情報に従って、前記端末の第１ＵＥ能力情報を決定し、前記端末の第１ＵＥ能力情報を前記コアネットワーク機器に送信することを含む。
【００３１】
一実施形態において、前記端末の第１ＵＥ能力識別子情報は前記端末の第１ＵＥ識別子情報であり、または、
前記端末の第１ＵＥ能力識別子情報は、前記端末の第１ＵＥ識別子情報および特定の識別子情報に基づいて決定された識別子情報である。
【００３２】
一実施形態において、前記端末の第１ＵＥ能力識別子情報は、前記端末の永続的な識別子情報または前記端末の一時的な識別子情報を含む。
【００３３】
一実施形態において、前記端末の第１ＵＥ能力識別子情報は、
グローバル範囲内、公衆陸上移動通信網（ＰＬＭＮ：Ｐｕｂｌｉｃ  Ｌａｎｄ  Ｍｏｂｉｌｅ  Ｎｅｔｗｏｒｋ）範囲内、コアネットワーク機器範囲内、アクセスネットワーク機器範囲内、登録エリア範囲内のうちの少なくとも１つの範囲内で一意に決定される。
【００３４】
一実施形態において、前記ＵＥ能力識別子情報とＵＥ能力情報との対応関係はＰＬＭＮに基づいて決定され、ここで、前記第１アクセスネットワーク機器側または前記コアネットワーク機器側または前記契約機器側は、前記端末によって登録または選択された第１ＰＬＭＮに従って、前記第１ＰＬＭＮに対応するＵＥ能力識別子情報とＵＥ能力情報との対応関係を決定し、それにより、前記端末の第１ＵＥ能力識別子情報に対応する第１ＵＥ能力情報を決定する。
【００３５】
一実施形態において、前記端末の第１ＵＥ能力識別子情報はＰＬＭＮに基づいて決定され、ここで、前記第１アクセスネットワーク機器側または前記コアネットワーク機器側または前記契約機器側は、前記端末によって登録または選択された第１ＰＬＭＮに従って、前記第１ＰＬＭＮに対応する第１ＵＥ能力識別子情報を決定する。
【００３６】
一実施形態において、前記端末によって同時に登録または選択されるＰＬＭＮは１つまたは複数であり、前記端末は、対応するＵＥ能力識別子情報を各ＰＬＭＮに対して報告する。
【００３７】
一実施形態において、前記ＵＥ能力識別子情報とＵＥ能力情報との対応関係はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応するＵＥ能力識別子情報とＵＥ能力情報との対応関係を決定し、それにより、前記端末の第１ＵＥ能力識別子情報に対応する第１ＵＥ能力情報を決定する。
【００３８】
一実施形態において、前記端末の第１ＵＥ能力識別子情報はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応する第１ＵＥ能力識別子情報を決定する。
【００３９】
一実施形態において、前記端末によって同時に登録または選択されたネットワークスライスは１つまたは複数であり、前記端末は、対応するＵＥ能力識別子情報を各ネットワークスライスに対して報告する。
【００４０】
本出願の実施例で提供された端末能力の取得装置は
端末の第１ＵＥ能力識別子情報または第１ＵＥ能力情報を取得するように構成される取得ユニットを備え、
ここで、前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。
【００４１】
一実施形態において、前記取得ユニットは、
コアネットワーク機器から前記端末の第１ＵＥ能力識別子情報を取得するように構成される第１取得サブユニットを備える。
【００４２】
一実施形態において、前記第１取得サブユニットは、前記コアネットワーク機器が前記端末によって開始されたサービス要求を受信した後に、第１アクセスネットワーク機器と前記コアネットワーク機器との間のインターフェースシグナリングを介して、前記コアネットワーク機器によって送信された前記端末の第１ＵＥ能力識別子情報を受信するように構成される。
【００４３】
一実施形態において、前記第１取得サブユニットは、ＵＥ能力識別子要求メッセージまたはＵＥ能力要求メッセージを前記コアネットワーク機器に送信し、前記コアネットワーク機器によって送信された前記端末の第１ＵＥ能力識別子情報を受信するように構成される。
【００４４】
一実施形態において、前記第１取得サブユニットは、前記端末から前記コアネットワーク機器に送信された初期メッセージを受信した後に、第１アクセスネットワーク機器と前記コアネットワーク機器との間のインターフェースシグナリングを介して、ＵＥ能力識別子要求メッセージまたはＵＥ能力要求メッセージを前記コアネットワーク機器に送信するように構成される。
【００４５】
一実施形態において、前記コアネットワーク機器は、
前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する。
【００４６】
一実施形態において、前記コアネットワーク機器は、
前記端末の契約機器から前記端末の第１ＵＥ能力識別子情報を取得することにより、第１ＵＥ能力識別子情報を取得する。
【００４７】
一実施形態において、前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む。
【００４８】
一実施形態において、前記取得ユニットは、
前記端末の第１ＵＥ能力識別子情報を前記端末から取得するように構成される第２取得サブユニットを備える。
【００４９】
一実施形態において、前記第２取得サブユニットは、前記端末の第１ＵＥ識別子情報に従って、前記端末の第１ＵＥ能力識別子情報を前記端末から取得するように構成される。
【００５０】
一実施形態において、前記第２取得サブユニットは、前記端末によって送信された第１ＵＥ能力識別子情報を受信するように構成される。
【００５１】
一実施形態において、前記第２取得サブユニットは、ＵＥ能力識別子要求メッセージまたはＵＥ能力要求メッセージを前記端末に送信し、前記端末によって送信された第１ＵＥ能力識別子情報を受信するように構成される。
【００５２】
一実施形態において、前記取得ユニットは、
第２アクセスネットワーク機器から前記端末の第１ＵＥ能力識別子情報を取得するように構成される第３取得サブユニットを備える。
【００５３】
一実施形態において、前記第３取得サブユニットは、前記端末の第１ＵＥ識別子情報に従って、前記第２アクセスネットワーク機器から、前記端末の第１ＵＥ能力識別子情報を取得するように構成される。
【００５４】
一実施形態において、前記取得ユニットは、さらに、
プロトコル合意を介して、前記ＵＥ能力識別子情報とＵＥ能力情報との対応関係を決定すること、
前記契約機器から、前記ＵＥ能力識別子情報とＵＥ能力情報との対応関係を取得すること、
前記ＵＥ能力識別子情報とＵＥ能力情報との対応関係を生成することのうちの少なくとも１つの方式により、前記ＵＥ能力識別子情報とＵＥ能力情報との対応関係を取得するように構成される。
【００５５】
一実施形態において、前記取得ユニットは、
コアネットワーク機器から前記端末の第１ＵＥ能力情報を取得するように構成される第４取得サブユニットを備える。
【００５６】
一実施形態において、前記第４取得サブユニットは、前記端末の第１ＵＥ識別子情報に従って、コアネットワーク機器から前記端末の第１ＵＥ能力情報を取得するように構成される。
【００５７】
一実施形態において、前記第４取得サブユニットは、前記コアネットワーク機器が前記端末によって開始されたサービス要求を受信した後に、第１アクセスネットワーク機器と前記コアネットワーク機器との間のインターフェースシグナリングを介して、前記コアネットワーク機器によって送信された前記端末の第１ＵＥ能力情報を受信するように構成される。
【００５８】
一実施形態において、前記第４取得サブユニットは、ＵＥ能力要求メッセージを前記コアネットワーク機器に送信し、前記コアネットワーク機器によって送信された前記端末の第１ＵＥ能力情報を受信するように構成される。
【００５９】
一実施形態において、前記第４取得サブユニットは、前記端末から前記コアネットワーク機器に送信された初期メッセージを受信した後に、第１アクセスネットワーク機器と前記コアネットワーク機器との間のインターフェースシグナリングを介して、ＵＥ能力要求メッセージを前記コアネットワーク機器に送信するように構成される。
【００６０】
一実施形態において、前記第４取得サブユニットは、前記端末の第１ＵＥ識別子情報を前記コアネットワーク機器に送信し、それにより、前記コアネットワーク機器は、前記端末の第１ＵＥ識別子情報に基づいて、前記端末の第１ＵＥ能力識別子情報を決定し、ＵＥ能力識別子情報とＵＥ能力情報との対応関係に基づいて、前記端末の第１ＵＥ能力情報を決定するように構成される。
【００６１】
一実施形態において、前記コアネットワーク機器は、
前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する。
【００６２】
一実施形態において、前記コアネットワーク機器は、
前記端末の契約機器から前記端末の第１ＵＥ能力識別子情報を取得することにより、第１ＵＥ能力識別子情報を取得する。
【００６３】
一実施形態において、前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む。
【００６４】
一実施形態において、前記コアネットワーク機器は、
前記端末の契約機器から前記端末の第１ＵＥ能力情報を取得することにより、前記端末の第１ＵＥ能力情報を取得する。
【００６５】
一実施形態において、前記コアネットワーク機器が、前記端末の契約機器から、前記端末の第１ＵＥ能力情報を取得することは、
前記コアネットワーク機器が、前記端末の第１ＵＥ識別子情報および／または前記端末の第１ＵＥ能力識別子情報を前記契約機器に送信し、それにより、前記契約機器は、端末の第１ＵＥ識別子情報および／または前記端末の第１ＵＥ能力識別子情報に従って、前記端末の第１ＵＥ能力情報を決定し、前記端末の第１ＵＥ能力情報を前記コアネットワーク機器に送信することを含む。
【００６６】
一実施形態において、前記端末の第１ＵＥ能力識別子情報は前記端末の第１ＵＥ識別子情報であり、または、
前記端末の第１ＵＥ能力識別子情報は、前記端末の第１ＵＥ識別子情報および特定の識別子情報に基づいて決定された識別子情報である。
【００６７】
一実施形態において、前記端末の第１ＵＥ能力識別子情報は、前記端末の永続的な識別子情報または前記端末の一時的な識別子情報を含む。
【００６８】
一実施形態において、前記端末の第１ＵＥ能力識別子情報は、
グローバル範囲内、ＰＬＭＮ範囲内、コアネットワーク機器範囲内、アクセスネットワーク機器範囲内、登録エリア範囲内のうちの少なくとも１つの範囲内で一意に決定される。
【００６９】
一実施形態において、前記ＵＥ能力識別子情報とＵＥ能力情報との対応関係はＰＬＭＮに基づいて決定され、ここで、前記第１アクセスネットワーク機器側または前記コアネットワーク機器側または前記契約機器側は、前記端末によって登録または選択された第１ＰＬＭＮに従って、前記第１ＰＬＭＮに対応するＵＥ能力識別子情報とＵＥ能力情報との対応関係を決定し、それにより、前記端末の第１ＵＥ能力識別子情報に対応する第１ＵＥ能力情報を決定する。
【００７０】
一実施形態において、前記端末の第１ＵＥ能力識別子情報はＰＬＭＮに基づいて決定され、ここで、前記第１アクセスネットワーク機器側または前記コアネットワーク機器側または前記契約機器側は、前記端末によって登録または選択された第１ＰＬＭＮに従って、前記第１ＰＬＭＮに対応する第１ＵＥ能力識別子情報を決定する。
【００７１】
一実施形態において、前記端末によって同時に登録または選択されるＰＬＭＮは１つまたは複数であり、前記端末は、対応するＵＥ能力識別子情報を各ＰＬＭＮに対して報告する。
【００７２】
一実施形態において、前記ＵＥ能力識別子情報とＵＥ能力情報との対応関係はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応するＵＥ能力識別子情報とＵＥ能力情報との対応関係を決定し、それにより、前記端末の第１ＵＥ能力識別子情報に対応する第１ＵＥ能力情報を決定する。
【００７３】
一実施形態において、前記端末の第１ＵＥ能力識別子情報はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応する第１ＵＥ能力識別子情報を決定する。
【００７４】
一実施形態において、前記端末によって同時に登録または選択されたネットワークスライスは１つまたは複数であり、前記端末は、対応するＵＥ能力識別子情報を各ネットワークスライスに対して報告する。
【００７５】
本出願の実施例で提供されたコンピュータ記憶媒体には、コンピュータ実行可能な命令が記憶され、当該コンピュータ実行可能な命令はプロセッサによって実行されると、上記の端末能力の取得方法を実現する。
【発明の効果】
【００７６】
本出願の実施例の技術的解決策では、第１アクセスネットワーク機器が、端末の第１ＵＥ能力識別子情報または第１ＵＥ能力情報を取得し、ここで、前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。本出願の実施例の技術的解決策を使用して、ＵＥ能力情報をＵＥ能力識別子情報に対応させ、端末／アクセスネットワーク／コアネットワーク間でＵＥ能力情報を取得する時に、ＵＥ能力識別子情報に基づいて、対応するＵＥ能力情報を取得して、シグナリングオーバーヘッドを削減することができる。
【図面の簡単な説明】
【００７７】
ここで説明した図面は、更なる理解を提供するために使用され、本出願の一部を構成し、本出願の例示的な実施例およびそれらの説明は、本出願を説明するために使用され、本出願に対して不当な限定を構成しない。
【図１】５Ｇネットワーク的システムアーキテクチャの概略図である。
【図２】４Ｇネットワーク的システムアーキテクチャの概略図である。
【図３】本出願の実施例的端末能力の取得方法の第１の例示的なフローチャートである。
【図４】本出願の実施例的端末能力の取得方法の第２の例示的なフローチャートである。
【図５】本出願の実施例的端末能力の取得方法の第３の例示的なフローチャートである。
【図６】本出願の実施例の端末能力の取得装置の結果的構成の概略図である。
【図７】本出願の実施例のコンピュータ機器の構成の概略的な構造図である。
【発明を実施するための形態】
【００７８】
本出願の実施例は、例えば、グローバル移動通信システム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、コード分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域コード分離多重アクセス（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、進歩型ロングタームエボリューション（ＬＴＥ−Ａ：Ａｄｖａｎｃｅｄ  ｌｏｎｇ  ｔｅｒｍ  ｅｖｏｌｕｔｉｏｎ）システムなどのロングタームエボリューション（ＬＴＥ：Ｌｏｎｇ  Ｔｅｒｍ  Ｅｖｏｌｕｔｉｏｎ）システムおよびＬＴＥシステムのエボリューションシステム、免ライセンススペクトルのＮＲ（ＮＲ−Ｕ：ＮＲ−ｂａｓｅｄ  ａｃｃｅｓｓ  ｔｏ  Ｕｎｌｉｃｅｎｓｅｄ  ｓｐｅｃｔｒｕｍ）システムなどのニューラジオ（ＮＲ：Ｎｅｗ  Ｒａｄｉｏ）システムおよびＮＲシステムのエボリューションシステム、または次の世代の通信システムなど、様々なあ通信システムに適用されることができる。
【００７９】
図１は、５Ｇネットワーク的システムアーキテクチャの概略図であり、図１に示されたように、５Ｇネットワークシステムに関する機器は、
端末（ＵＥ：Ｕｓｅｒ  Ｅｑｕｉｐｍｅｎｔ）、無線アクセスネットワーク（ＲＡＮ：Ｒａｄｉｏ  Ａｃｃｅｓｓ  Ｎｅｔｗｏｒｋ）、ユーザプレーン機能（ＵＰＦ：Ｕｓｅｒ  Ｐｌａｎｅ  Ｆｕｎｃｔｉｏｎ）、データネットワーク（ＤＮ：Ｄａｔａ  Ｎｅｔｗｏｒｋ）、アクセスおよびモビリティ管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、ポリシー制御機能（ＰＣＦ：Ｐｏｌｉｃｙ  Ｃｏｎｔｒｏｌ  ｆｕｎｃｔｉｏｎ）、アプリケーション機能（ＡＦ：Ａｐｐｌｉｃａｔｉｏｎ  Ｆｕｎｃｔｉｏｎ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、統合されたデータ管理（ＵＤＭ：Ｕｎｉｆｉｅｄ  Ｄａｔａ  Ｍａｎａｇｅｍｅｎｔ）を含む。
【００８０】
図２は、４Ｇネットワーク的システムアーキテクチャの概略図であり、図２に示されたように、４Ｇネットワークシステムに関する機器は、
端末（ＵＥ：Ｕｓｅｒ  Ｅｑｕｉｐｍｅｎｔ）、進化型ユニバーサル地上無線アクセス（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、モビリティ管理エンティティ（ＭＭＥ：  Ｍｏｂｉｌｉｔｙ  Ｍａｎａｇｅｍｅｎｔ  Ｅｎｔｉｔｙ）要素、サービスＧＰＲＳサポートノード（ＳＧＳＮ：Ｓｅｒｖｉｎｇ  ＧＰＲＳ  Ｓｕｐｐｏｒｔ  Ｎｏｄｅ）、ホーム加入者サーバ（ＨＳＳ：Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ：Ｐａｃｋｅｔ  Ｄａｔａ  Ｎｅｔｗｏｒｋ  Ｇａｔｅｗａｙ）、ポリシーおよび課金ルール機能ユニット（ＰＣＲＦ：Ｐｏｌｉｃｙ  ａｎｄ  Ｃｈａｒｇｉｎｇ  Ｒｕｌｅｓ  Ｆｕｎｃｔｉｏｎ）を含む。
【００８１】
上記の図１、図２の例は、本出願の実施例を実現する１つのネットワークアーキテクチャの例にすぎず、本出願の実施例は、上記の図１、図２に記載のネットワーク構造に限定されない。
【００８２】
図３は、本出願の実施例の端末能力の取得方法の第１の例示的なフローチャートであり、図３に示されたように、前記端末能力の取得方法は、次のステップを含む。
【００８３】
ステップ３０１において、第１アクセスネットワーク機器が、端末の第１ＵＥ能力識別子情報または第１ＵＥ能力情報を取得し、ここで、前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。
【００８４】
本出願の実施例では、第１アクセスネットワーク機器は基地局であってもよい。
【００８５】
本出願の実施例では、第１ＵＥ能力情報は、端末がサポートするアクセスタイプ（ＲＡＴ）、端末がサポートする周波数帯域、端末の電力レベル、端末がＣＡをサポートするかどうか、端末がＰＳスイッチングをサポートするかどうか、端末がサポートするセキュリティアルゴリズムなどの、前記端末がサポートする様々な能力を含む。
【００８６】
本出願の実施例では、第１ＵＥ能力識別子情報は、次の方式により実現されることができる。
【００８７】
１）前記端末の第１ＵＥ能力識別子情報は前記端末の第１ＵＥ識別子情報である。
【００８８】
２）前記端末の第１ＵＥ能力識別子情報は、前記端末の第１ＵＥ識別子情報および特定の識別子情報に基づいて決定された識別子情報である。
【００８９】
本出願の実施例では、第１アクセスネットワーク機器が第１ＵＥ能力情報を取得する方式は２つがある。
【００９０】
最初の取得方式として、第１アクセスネットワーク機器は端末の第１ＵＥ能力識別子情報を取得し、前記第１ＵＥ能力識別子情報、およびＵＥ能力識別子情報とＵＥ能力情報との対応関係に基づいて、前記端末の第１ＵＥ能力情報を決定する。
【００９１】
２番目の取得方式として、第１アクセスネットワーク機器は、第１ＵＥ能力情報を直接に取得する。
【００９２】
一実施形態において、前記端末の第１ＵＥ能力識別子情報は、前記端末の永続的な識別子情報または前記端末の一時的な識別子情報を含む。
【００９３】
一実施形態において、前記端末の第１ＵＥ能力識別子情報はサービスタイプに対するＵＥ能力識別子情報であり、前記第１ＵＥ能力識別子情報が前記端末によって報告される時に、前記端末は、前記第１ＵＥ能力識別子情報に対応するサービスタイプをさらに報告する。さらに、異なるサービスタイプに対応するＵＥ能力識別子情報の長さは異なる。
【００９４】
ここで、サービスタイプは、例えば、大容量・高速通信（ｅＭＢＢ）、大規模マシンタイプ通信（ｍＭＴＣ）、超高信頼・低遅延通信（ＵＲＬＬＣ）、車両インターネット（Ｖ２Ｘ）などであり、ｅＭＢＢ、ｍＭＴＣ、ＵＲＬＬＣ、Ｖ２Ｘなどのサービスタイプに対して、ＵＥ能力識別子情報の長さは異なる。
【００９５】
一実施形態において、前記端末の第１ＵＥ能力識別子情報は、
グローバル範囲内、ＰＬＭＮ範囲内、端末が属する製造業者情報範囲内、ネットワークオペレータ情報範囲内、サービスプロバイダ情報範囲内、コアネットワーク機器範囲内、アクセスネットワーク機器範囲内、登録エリア範囲内のうちの少なくとも１つの範囲内で一意に決定される。
【００９６】
一実施形態において、前記ＵＥ能力識別子情報とＵＥ能力情報との対応関係は範囲情報に基づいて決定され、前記第１アクセスネットワーク機器側または前記コアネットワーク機器側または前記契約機器側は、前記端末によって登録または選択された第１範囲情報に従って、前記第１範囲情報に対応するＵＥ能力識別子情報とＵＥ能力情報との対応関係を決定し、それにより、前記端末の第１ＵＥ能力識別子情報に対応する第１ＵＥ能力情報を決定し、ここで、前記範囲情報は、ＰＬＭＮ情報、端末が属する製造業者情報、ネットワークオペレータ情報、サービスプロバイダ情報のうちの少なくとも１つを含む。
【００９７】
ここで、前記端末が属する製造業者情報は、製造業者の識別子情報および製造業者の名称のうちの少なくとも１つを含む。さらに、前記端末が属する製造業者情報に前記製造業者の識別子情報が含まれた場合、前記製造業者の識別子情報は、ＰＬＭＮに基づいて割り当てられ、または同じ機関によって割り当てられる。
【００９８】
さらに、前記端末の第１ＵＥ能力識別子情報はＰＬＭＮに基づいて決定され、ここで、前記第１アクセスネットワーク機器側または前記コアネットワーク機器側または前記契約機器側は、前記端末によって登録または選択された第１ＰＬＭＮに従って、前記第１ＰＬＭＮに対応する第１ＵＥ能力識別子情報を決定する。ここで、前記端末によって同時に登録または選択されるＰＬＭＮは１つまたは複数であり、前記端末は、対応するＵＥ能力識別子情報を各ＰＬＭＮに対して報告する。
【００９９】
一実施形態において、前記ＵＥ能力識別子情報とＵＥ能力情報との対応関係はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応するＵＥ能力識別子情報とＵＥ能力情報との対応関係を決定し、それにより、前記端末の第１ＵＥ能力識別子情報に対応する第１ＵＥ能力情報を決定する。さらに、前記端末の第１ＵＥ能力識別子情報はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応する第１ＵＥ能力識別子情報を決定する。ここで、前記端末によって同時に登録または選択されたネットワークスライスは１つまたは複数であり、前記端末は、対応するＵＥ能力識別子情報を各ネットワークスライスに対して報告する。
【０１００】
一実施形態において、前記端末の第１ＵＥ能力識別子情報と第１ＵＥ能力情報との対応関係がＰＬＭＮに基づいて決定された場合、前記第１ＵＥ能力識別子情報はＰＬＭＮに基づく情報であり、前記ＰＬＭＮベースの第１ＵＥ能力識別子情報は異なるフォーマットを有し、前記フォーマットは、ＵＥ能力識別子情報の長さおよび／またはＵＥ能力識別子情報に含まれた情報を指す。さらに、前記ＰＬＭＮベースの第１ＵＥ能力識別子情報のフォーマットはプロトコルで事前に定義される。
【０１０１】
例示的に、前記第１ＵＥ能力識別子情報が前記端末によって報告される時に、前記端末は、前記第１ＵＥ能力識別子情報によってサポートされるフォーマット情報をさらに報告する。
【０１０２】
以下、具体的な実施例を介して、上記の２つの方式についてそれぞれ説明する。
【０１０３】
図４は、本出願の実施例の端末能力の取得方法の第２の例示的なフローチャートであり、図４に示されたように、前記端末能力の取得方法は、次のステップを含む。
【０１０４】
ステップ４０１において、第１アクセスネットワーク機器が、端末の第１ＵＥ能力識別子情報を取得する。
【０１０５】
本出願の実施例では、前記第１アクセスネットワーク機器が、端末の第１ＵＥ能力識別子情報を取得することは、次の方式により実現されることができる。
【０１０６】
最初の方式として、前記第１アクセスネットワーク機器が、コアネットワーク機器から前記端末の第１ＵＥ能力識別子情報を取得する。
【０１０７】
前記第１アクセスネットワーク機器が、前記端末の第１ＵＥ識別子情報に従って、コアネットワーク機器から前記端末の第１ＵＥ能力情報を取得することを含む。
【０１０８】
ここで、前記第１アクセスネットワーク機器が、コアネットワーク機器から前記端末の第１ＵＥ能力識別子情報を取得することは、次の方式により実現される。
【０１０９】
１）前記コアネットワーク機器が前記端末によって開始されたサービス要求を受信した後に、前記第１アクセスネットワーク機器が、前記第１アクセスネットワーク機器と前記コアネットワーク機器との間のインターフェースシグナリングを介して、前記コアネットワーク機器によって送信された前記端末の第１ＵＥ能力識別子情報を受信する。
【０１１０】
２）前記第１アクセスネットワーク機器が、ＵＥ能力識別子要求メッセージまたはＵＥ能力要求メッセージを前記コアネットワーク機器に送信する；前記第１アクセスネットワーク機器が、前記コアネットワーク機器によって送信された前記端末の第１ＵＥ能力識別子情報を受信する。
【０１１１】
さらに、前記第１アクセスネットワーク機器が、ＵＥ能力識別子要求メッセージまたはＵＥ能力要求メッセージを前記コアネットワーク機器に送信することは、
前記第１アクセスネットワークが、前記端末から前記コアネットワーク機器に送信された初期メッセージを受信した後に、第１アクセスネットワーク機器と前記コアネットワーク機器との間のインターフェースシグナリングを介して、ＵＥ能力識別子要求メッセージまたはＵＥ能力要求メッセージを前記コアネットワーク機器に送信することを含む。
【０１１２】
最初の方式において、前記コアネットワーク機器は、次の方式により前記第１ＵＥ能力識別子情報を取得する。
【０１１３】
１．１）前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信し、または、１．２）前記端末が、前記端末と前記コアネットワーク機器との間のインターフェースプロトコルを介して、第１ＵＥ能力識別子情報を前記コアネットワーク機器に送信する。
【０１１４】
これらに限定されず、本出願の実施例では、前記第１アクセスネットワーク機器または前記コアネットワーク機器が、端末から第１ＵＥ能力情報および対応する第１ＵＥ能力識別子情報を取得し、または、前記第１アクセスネットワーク機器または前記コアネットワーク機器が、端末から第１ＵＥ能力情報を取得して、前記第１ＵＥ能力情報に対して、対応する第１ＵＥ能力識別子情報を割り当てる。さらに、前記第１アクセスネットワークが、前記端末から第１ＵＥ能力情報および対応する第１ＵＥ能力識別子情報を取得する場合、前記第１ＵＥ能力情報および対応する第１ＵＥ能力識別子情報を前記コアネットワークに送信する。
【０１１５】
一実施形態において、前記コアネットワークは、前記端末の第１ＵＥ能力情報および対応する第１ＵＥ能力識別子情報、および／または、前記端末の第１ＵＥ識別子情報を前記端末の契約サーバに送信する。さらに、前記端末の契約サーバは、前記端末の第１ＵＥ能力情報および対応する第１ＵＥ能力識別子情報、および／または、前記端末の第１ＵＥ識別子情報を保存または更新する。
【０１１６】
前記端末の第１ＵＥ能力情報および対応する第１ＵＥ能力識別子情報は、事前構成の方式により前記端末側に構成されることに留意されたい。
【０１１７】
例示的に、前記第１アクセスネットワーク機器または前記コアネットワーク機器は、端末から第１ＵＥ能力識別子情報を取得する時に、前記第１ＵＥ能力識別子情報が属する範囲情報をさらに取得し、ここで、前記範囲情報は、ＰＬＭＮ情報、端末が属する製造業者情報、ネットワークオペレータ情報、サービスプロバイダ情報のうちの少なくとも１つを含む。
【０１１８】
ここで、前記端末が属する製造業者情報は、製造業者の識別子情報および製造業者の名称のうちの少なくとも１つを含む。さらに、前記端末が属する製造業者情報は、製造業者の識別子情報および製造業者の名称のうちの少なくとも１つを含む。
【０１１９】
さらに、前記範囲情報は、アプリケーション機能（ＡＦ、Ａｐｐｌｉｃａｔｉｏｎ  Ｆｕｎｃｔｉｏｎ）情報で示される。
【０１２０】
本出願の実施例では、前記コアネットワークは、端末から前記第１ＵＥ能力識別子情報および前記第１ＵＥ能力識別子情報が属する範囲情報を取得した後に、前記範囲情報に属するＵＥ能力識別子情報とＵＥ能力情報との対応関係を決定し、前記対応関係に基づいて前記第１ＵＥ能力識別子情報に対応する第１ＵＥ能力情報を決定する。前記コアネットワークは、ゲートウェイインターフェースを介して、前記端末によって報告された範囲情報に対応する外部サーバから前記対応関係を取得し、前記対応関係に従って、前記第１ＵＥ能力識別子情報に対応する第１ＵＥ能力情報を決定し、または、前記コアネットワークは、ゲートウェイインターフェースを介して、前記端末によって報告された範囲情報に対応する外部サーバから、前記第１ＵＥ能力識別子情報に対応する第１ＵＥ能力情報を取得するように要求する。
【０１２１】
一実施形態において、前記対応関係に更新が発生した場合、前記端末は、前記対応関係が更新されたことを指示する指示情報を前記コアネットワークに報告し、前記コアネットワークは、前記指示情報を受信した後に、前記端末によって報告された範囲情報に対応する外部サーバから、更新された対応関係を取得する。さらに、前記端末は、前記第１ＵＥ能力識別子情報を前記コアネットワークに報告する同時に、前記指示情報を前記コアネットワークに報告し、または、前記端末は、前記第１ＵＥ能力識別子情報および前記指示情報をそれぞれ報告する。
【０１２２】
一実施形態において、前記コアネットワークが前記端末から前記第１ＵＥ能力識別子情報が前記対応関係に存在しないことを受信した場合、前記コアネットワークは、前記端末によって報告された範囲情報に対応する外部サーバから、更新された対応関係を取得し、または、前記コアネットワークは、前記端末によって報告された範囲情報に対応する外部サーバから、前記第１ＵＥ能力識別子情報に対応する第１ＵＥ能力情報を取得するように要求し、前記第１ＵＥ能力識別子情報と前記第１ＵＥ能力情報との対応関係を前記対応関係に追加する。
【０１２３】
一実施形態において、前記コアネットワーク機器が、前記端末の契約機器から前記端末の第１ＵＥ能力識別子情報を取得する。さらに、前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信する。
【０１２４】
２番目の方式として、前記第１アクセスネットワーク機器が、前記端末の第１ＵＥ能力識別子情報を前記端末から取得する。
【０１２５】
前記第１アクセスネットワーク機器が、前記端末の第１ＵＥ識別子情報に従って、前記端末の第１ＵＥ能力識別子情報を前記端末から取得する。
【０１２６】
ここで、前記第１アクセスネットワーク機器が、前記端末によって送信された第１ＵＥ能力識別子情報を受信する。
【０１２７】
具体的に実現する時に、前記第１アクセスネットワーク機器が、ＵＥ能力識別子要求メッセージまたはＵＥ能力要求メッセージを前記端末に送信し、前記第１アクセスネットワーク機器が、前記端末によって送信された第１ＵＥ能力識別子情報を受信する。
【０１２８】
３番目の方式として、前記第１アクセスネットワーク機器が、第２アクセスネットワーク機器から、前記端末の第１ＵＥ能力識別子情報を取得する。
【０１２９】
前記第１アクセスネットワーク機器が、前記端末の第１ＵＥ識別子情報に従って、前記第２アクセスネットワーク機器から、前記端末の第１ＵＥ能力識別子情報を取得する。
【０１３０】
ステップ４０２において、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。
【０１３１】
本出願の実施例では、前記第１アクセスネットワーク機器は、
プロトコル合意を介して、前記ＵＥ能力識別子情報とＵＥ能力情報との対応関係を決定すること、
前記契約機器から、前記ＵＥ能力識別子情報とＵＥ能力情報との対応関係を取得すること、
前記ＵＥ能力識別子情報とＵＥ能力情報との対応関係を生成することのうちの少なくとも１つの方式により、前記ＵＥ能力識別子情報とＵＥ能力情報との対応関係を取得する。
【０１３２】
図５は、本出願の実施例の端末能力の取得方法の第３の例示的なフローチャートであり、図５に示されたように、前記端末能力の取得方法は、次のステップを含む。
【０１３３】
ステップ５０１において、第１アクセスネットワーク機器が、端末の第１ＵＥ能力情報を取得する。
【０１３４】
ここで、前記第１アクセスネットワーク機器が、コアネットワーク機器から前記端末の第１ＵＥ能力情報を取得する。さらに、前記第１アクセスネットワーク機器が、コアネットワーク機器から前記端末の第１ＵＥ能力情報を取得することは、次の方式により実現される。
【０１３５】
最初の方式として、前記コアネットワーク機器が前記端末によって開始されたサービス要求を受信した後に、前記第１アクセスネットワーク機器が、前記第１アクセスネットワーク機器と前記コアネットワーク機器との間のインターフェースシグナリングを介して、前記コアネットワーク機器によって送信された前記端末の第１ＵＥ能力情報を受信する。
【０１３６】
２番目の方式として、前記第１アクセスネットワーク機器は、ＵＥ能力要求メッセージを前記コアネットワーク機器に送信し、前記第１アクセスネットワーク機器は、前記コアネットワーク機器によって送信された前記端末の第１ＵＥ能力情報を受信する。さらに、前記第１アクセスネットワークは、前記端末から前記コアネットワーク機器に送信された初期メッセージを受信した後に、第１アクセスネットワーク機器と前記コアネットワーク機器との間のインターフェースシグナリングを介して、ＵＥ能力要求メッセージを前記コアネットワーク機器に送信する。
【０１３７】
本出願の実施例では、前記第１アクセスネットワーク機器が、コアネットワーク機器から前記端末の第１ＵＥ能力情報を取得することは、前記第１アクセスネットワーク機器が、前記端末の第１ＵＥ識別子情報前記コアネットワーク機器に送信し、それにより、前記コアネットワーク機器は、前記端末の第１ＵＥ識別子情報に基づいて、前記端末の第１ＵＥ能力識別子情報を決定し、ＵＥ能力識別子情報とＵＥ能力情報との対応関係に基づいて、前記端末の第１ＵＥ能力情報を決定することにより実現される。さらに、前記コアネットワーク機器は、次の方式により、前記第１ＵＥ能力識別子情報を取得する。
【０１３８】
１．１）前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信し、または、１．２）前記端末が、前記端末と前記コアネットワーク機器との間のインターフェースプロトコルを介して、第１ＵＥ能力識別子情報を前記コアネットワーク機器に送信する。
【０１３９】
２）前記コアネットワーク機器が、前記端末の契約機器から前記端末の第１ＵＥ能力識別子情報を取得する。さらに、前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信する。
【０１４０】
本出願の実施例では、前記コアネットワーク機器は、前記端末の契約機器から前記端末の第１ＵＥ能力情報を取得することにより、前記端末の第１ＵＥ能力情報を取得する。  ここで、前記コアネットワーク機器が、前記端末の第１ＵＥ識別子情報および／または前記端末の第１ＵＥ能力識別子情報を前記契約機器に送信し、それにより、前記契約機器は、端末の第１ＵＥ識別子情報および／または前記端末の第１ＵＥ能力識別子情報に従って、前記端末の第１ＵＥ能力情報を決定し、前記端末の第１ＵＥ能力情報を前記コアネットワーク機器に送信する。
【０１４１】
図６は、本出願の実施例の端末能力の取得装置の結果的構成の概略図であり、図６に示されたように、前記端末能力の取得装置は、
端末の第１ＵＥ能力識別子情報または第１ＵＥ能力情報を取得するように構成される取得ユニット６０１を備える。
【０１４２】
ここで、前記第１アクセスネットワーク機器が前記端末の第１ＵＥ能力識別子情報を取得した場合、前記第１アクセスネットワーク機器は、前記第１ＵＥ能力識別子情報、およびＵＥ能力識別子情報とＵＥ能力情報との対応関係に基づいて、前記端末の第１ＵＥ能力情報を決定する。
【０１４３】
一実施形態において、前記取得ユニット６０１は、
第１取得サブユニット１１は、ネットワーク機器から前記端末の第１ＵＥ能力識別子情報を取得するように構成される。
【０１４４】
一実施形態において、前記第１取得サブユニット１１は、前記コアネットワーク機器が前記端末によって開始されたサービス要求を受信した後に、第１アクセスネットワーク機器と前記コアネットワーク機器との間のインターフェースシグナリングを介して、前記コアネットワーク機器によって送信された前記端末の第１ＵＥ能力識別子情報を受信するように構成される。
【０１４５】
一実施形態において、前記第１取得サブユニット１１は、ＵＥ能力識別子要求メッセージまたはＵＥ能力要求メッセージを前記コアネットワーク機器に送信し、前記コアネットワーク機器によって送信された前記端末の第１ＵＥ能力識別子情報を受信するように構成される。
【０１４６】
一実施形態において、前記第１取得サブユニット１１は、前記端末から前記コアネットワーク機器に送信された初期メッセージを受信した後に、第１アクセスネットワーク機器と前記コアネットワーク機器との間のインターフェースシグナリングを介して、ＵＥ能力識別子要求メッセージまたはＵＥ能力要求メッセージを前記コアネットワーク機器に送信するように構成される。
【０１４７】
一実施形態において、前記コアネットワーク機器は、
前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する。
【０１４８】
これらに限定されず、本出願の実施例では、前記第１アクセスネットワーク機器または前記コアネットワーク機器が、端末から第１ＵＥ能力情報および対応する第１ＵＥ能力識別子情報を取得し、または、前記第１アクセスネットワーク機器または前記コアネットワーク機器が、端末から第１ＵＥ能力情報を取得して、前記第１ＵＥ能力情報に対して、対応する第１ＵＥ能力識別子情報を割り当てる。さらに、前記第１アクセスネットワークが、前記端末から第１ＵＥ能力情報および対応する第１ＵＥ能力識別子情報を取得する場合、前記第１ＵＥ能力情報および対応する第１ＵＥ能力識別子情報を前記コアネットワークに送信する。
【０１４９】
一実施形態において、前記コアネットワークは、前記端末の第１ＵＥ能力情報および対応する第１ＵＥ能力識別子情報、および／または、前記端末の第１ＵＥ識別子情報を前記端末の契約サーバに送信する。さらに、前記端末の契約サーバは、前記端末の第１ＵＥ能力情報および対応する第１ＵＥ能力識別子情報、および／または、前記端末の第１ＵＥ識別子情報を保存または更新する。
【０１５０】
前記端末の第１ＵＥ能力情報および対応する第１ＵＥ能力識別子情報は、事前構成の方式により前記端末側に構成されることに留意されたい。
【０１５１】
例示的に、前記第１アクセスネットワーク機器または前記コアネットワーク機器は、端末から第１ＵＥ能力識別子情報を取得する時に、前記第１ＵＥ能力識別子情報が属する範囲情報をさらに取得し、ここで、前記範囲情報は、ＰＬＭＮ情報、端末が属する製造業者情報、ネットワークオペレータ情報、サービスプロバイダ情報のうちの少なくとも１つを含む。
【０１５２】
ここで、前記端末が属する製造業者情報は、製造業者の識別子情報および製造業者の名称のうちの少なくとも１つを含む。さらに、前記端末が属する製造業者情報に前記製造業者の識別子情報が含まれた場合、前記製造業者の識別子情報は、ＰＬＭＮに基づいて割り当てられ、または同じ機関によって割り当てられる。
【０１５３】
さらに、前記範囲情報は、ＡＦ情報によって示される。
【０１５４】
本出願の実施例では、前記コアネットワークは、端末から前記第１ＵＥ能力識別子情報および前記第１ＵＥ能力識別子情報が属する範囲情報を取得した後に、前記範囲情報に属するＵＥ能力識別子情報とＵＥ能力情報との対応関係を決定し、前記対応関係に基づいて前記第１ＵＥ能力識別子情報に対応する第１ＵＥ能力情報を決定する。前記コアネットワークは、ゲートウェイインターフェースを介して、前記端末によって報告された範囲情報に対応する外部サーバから前記対応関係を取得し、前記対応関係に従って、前記第１ＵＥ能力識別子情報に対応する第１ＵＥ能力情報を決定し、または、前記コアネットワークは、ゲートウェイインターフェースを介して、前記端末によって報告された範囲情報に対応する外部サーバから、前記第１ＵＥ能力識別子情報に対応する第１ＵＥ能力情報を取得するように要求する。
【０１５５】
一実施形態において、前記対応関係に更新が発生した場合、前記端末は、前記対応関係が更新されたことを指示する指示情報を前記コアネットワークに報告し、前記コアネットワークは、前記指示情報を受信した後に、前記端末によって報告された範囲情報に対応する外部サーバから、更新された対応関係を取得する。さらに、前記端末は、前記第１ＵＥ能力識別子情報を前記コアネットワークに報告する同時に、前記指示情報を前記コアネットワークに報告し、または、前記端末は、前記第１ＵＥ能力識別子情報および前記指示情報をそれぞれ報告する。
【０１５６】
一実施形態において、前記コアネットワークが前記端末から前記第１ＵＥ能力識別子情報が前記対応関係に存在しないことを受信した場合、前記コアネットワークは、前記端末によって報告された範囲情報に対応する外部サーバから、更新された対応関係を取得し、または、前記コアネットワークは、前記端末によって報告された範囲情報に対応する外部サーバから、前記第１ＵＥ能力識別子情報に対応する第１ＵＥ能力情報を取得するように要求し、前記第１ＵＥ能力識別子情報と前記第１ＵＥ能力情報との対応関係を前記対応関係に追加する。
【０１５７】
一実施形態において、前記コアネットワーク機器は、
前記端末の契約機器から前記端末の第１ＵＥ能力識別子情報を取得することにより、第１ＵＥ能力識別子情報を取得する。
【０１５８】
一実施形態において、前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む。
【０１５９】
一実施形態において、前記取得ユニット６０１は、
前記端末の第１ＵＥ能力識別子情報を前記端末から取得するように構成される第２取得サブユニット１２を備える。さらに、前記第２取得サブユニット１２は、前記端末の第１ＵＥ識別子情報に従って、前記端末の第１ＵＥ能力識別子情報を前記端末から取得するように構成される。
【０１６０】
一実施形態において、前記第２取得サブユニット１２は、前記端末によって送信された第１ＵＥ能力識別子情報を受信するように構成される。
【０１６１】
一実施形態において、前記第２取得サブユニット１２は、ＵＥ能力識別子要求メッセージまたはＵＥ能力要求メッセージを前記端末に送信し、前記端末によって送信された第１ＵＥ能力識別子情報を受信するように構成される。
【０１６２】
一実施形態において、前記取得ユニット６０１は、
第２アクセスネットワーク機器から前記端末の第１ＵＥ能力識別子情報を取得するように構成される第３取得サブユニット１３を備える。さらに、前記第３取得サブユニット１３は、前記端末の第１ＵＥ識別子情報に従って、前記第２アクセスネットワーク機器から、前記端末の第１ＵＥ能力識別子情報を取得するように構成される。
【０１６３】
一実施形態において、前記取得ユニット６０１は、さらに、
プロトコル合意を介して、前記ＵＥ能力識別子情報とＵＥ能力情報との対応関係を決定すること、
前記契約機器から、前記ＵＥ能力識別子情報とＵＥ能力情報との対応関係を取得すること、
前記ＵＥ能力識別子情報とＵＥ能力情報との対応関係を生成することのうちの少なくとも１つの方式により、前記ＵＥ能力識別子情報とＵＥ能力情報との対応関係を取得するように構成される。
【０１６４】
一実施形態において、前記取得ユニット６０１は、
コアネットワーク機器から前記端末の第１ＵＥ能力情報を取得するように構成される第４取得サブユニット１４を備える。さらに、前記第４取得サブユニット１４は、前記端末の第１ＵＥ識別子情報に従って、コアネットワーク機器から前記端末の第１ＵＥ能力情報を取得するように構成される。
【０１６５】
一実施形態において、前記第４取得サブユニット１４は、前記コアネットワーク機器が前記端末によって開始されたサービス要求を受信した後に、第１アクセスネットワーク機器と前記コアネットワーク機器との間のインターフェースシグナリングを介して、前記コアネットワーク機器によって送信された前記端末の第１ＵＥ能力情報を受信するように構成される。
【０１６６】
一実施形態において、前記第４取得サブユニット１４は、ＵＥ能力要求メッセージを前記コアネットワーク機器に送信し、前記コアネットワーク機器によって送信された前記端末の第１ＵＥ能力情報を受信するように構成される。
【０１６７】
一実施形態において、前記第４取得サブユニット１４は、前記端末から前記コアネットワーク機器に送信された初期メッセージを受信した後に、第１アクセスネットワーク機器と前記コアネットワーク機器との間のインターフェースシグナリングを介して、ＵＥ能力要求メッセージを前記コアネットワーク機器に送信するように構成される。
【０１６８】
一実施形態において、前記第４取得サブユニット１４は、前記端末の第１ＵＥ識別子情報を前記コアネットワーク機器に送信し、それにより、前記コアネットワーク機器は、前記端末の第１ＵＥ識別子情報に基づいて、前記端末の第１ＵＥ能力識別子情報を決定し、ＵＥ能力識別子情報とＵＥ能力情報との対応関係に基づいて、前記端末の第１ＵＥ能力情報を決定するように構成される。
【０１６９】
一実施形態において、前記コアネットワーク機器は、
前記端末が、第１ＵＥ能力識別子情報を前記第１アクセスネットワーク機器または第２アクセスネットワーク機器に送信し、前記第１アクセスネットワーク機器または前記第２アクセスネットワーク機器が、前記端末の第１ＵＥ能力識別子情報を前記コアネットワーク機器に送信すること、または、
前記端末が、前記端末と前記コアネットワーク機器との間のインターフェースプロトコルを介して、第１ＵＥ能力識別子情報を前記コアネットワーク機器に送信することにより、前記第１ＵＥ能力識別子情報を取得する。
【０１７０】
一実施形態において、前記コアネットワーク機器は、
前記端末の契約機器から前記端末の第１ＵＥ能力識別子情報を取得することにより、第１ＵＥ能力識別子情報を取得する。
【０１７１】
一実施形態において、前記コアネットワーク機器が、前記端末の契約機器から前記端末の第１ＵＥ能力識別子情報を取得することは、
前記コアネットワーク機器が、前記端末の第１ＵＥ識別子情報を前記契約機器に送信し、それにより、前記契約機器は、前記端末の第１ＵＥ識別子情報に基づいて、前記端末の第１ＵＥ能力識別子情報および／または前記端末の第１ＵＥ能力識別子情報と第１ＵＥ能力情報との対応関係を決定し、前記端末の第１ＵＥ能力識別子情報、および前記端末の第１ＵＥ識別子情報および／または前記端末の第１ＵＥ能力識別子情報と第１ＵＥ能力情報との対応関係を前記コアネットワーク機器に送信することを含む。
【０１７２】
一実施形態において、前記コアネットワーク機器は、
前記端末の契約機器から前記端末の第１ＵＥ能力情報を取得することにより、前記端末の第１ＵＥ能力情報を取得する。
【０１７３】
一実施形態において、前記コアネットワーク機器が、前記端末の契約機器から、前記端末の第１ＵＥ能力情報を取得することは、
前記コアネットワーク機器が、前記端末の第１ＵＥ識別子情報および／または前記端末の第１ＵＥ能力識別子情報を前記契約機器に送信し、それにより、前記契約機器は、端末の第１ＵＥ識別子情報および／または前記端末の第１ＵＥ能力識別子情報に従って、前記端末の第１ＵＥ能力情報を決定し、前記端末の第１ＵＥ能力情報を前記コアネットワーク機器に送信することを含む。
【０１７４】
一実施形態において、前記端末の第１ＵＥ能力識別子情報は前記端末の第１ＵＥ識別子情報であり、または、
前記端末の第１ＵＥ能力識別子情報は、前記端末の第１ＵＥ識別子情報および特定の識別子情報に基づいて決定された識別子情報である。
【０１７５】
一実施形態において、前記端末の第１ＵＥ能力識別子情報は、前記端末の永続的な識別子情報または前記端末の一時的な識別子情報を含む。
【０１７６】
一実施形態において、前記端末の第１ＵＥ能力識別子情報はサービスタイプに対するＵＥ能力識別子情報であり、前記第１ＵＥ能力識別子情報が前記端末によって報告される時に、前記端末は、前記第１ＵＥ能力識別子情報に対応するサービスタイプをさらに報告する。さらに、異なるサービスタイプに対応するＵＥ能力識別子情報の長さは異なる。
【０１７７】
ここで、サービスタイプは、例えば、ｅＭＢＢ、ｍＭＴＣ、ＵＲＬＬＣ、Ｖ２Ｘなどであり、ｅＭＢＢ、ｍＭＴＣ、ＵＲＬＬＣ、Ｖ２Ｘ等サービスタイプに対して、ＵＥ能力識別子情報の長さは異なる。
【０１７８】
一実施形態において、前記端末の第１ＵＥ能力識別子情報は、
グローバル範囲内、ＰＬＭＮ範囲内、端末が属する製造業者情報範囲内、ネットワークオペレータ情報範囲内、サービスプロバイダ情報範囲内、コアネットワーク機器範囲内、アクセスネットワーク機器範囲内、登録エリア範囲内のうちの少なくとも１つの範囲内で一意に決定される。
【０１７９】
一実施形態において、前記ＵＥ能力識別子情報とＵＥ能力情報との対応関係は範囲情報に基づいて決定され、ここで、前記第１アクセスネットワーク機器側または前記コアネットワーク機器側または前記契約機器側は、前記端末によって登録または選択された第１範囲情報に従って、前記第１範囲情報に対応するＵＥ能力識別子情報とＵＥ能力情報との対応関係を決定し、それにより、前記端末の第１ＵＥ能力識別子情報に対応する第１ＵＥ能力情報を決定する。
【０１８０】
ここで、前記範囲情報は、ＰＬＭＮ情報、端末が属する製造業者情報、ネットワークオペレータ情報、サービスプロバイダ情報のうちの少なくとも１つを含む。
【０１８１】
一実施形態において、前記端末の第１ＵＥ能力識別子情報はＰＬＭＮに基づいて決定され、ここで、前記第１アクセスネットワーク機器側または前記コアネットワーク機器側または前記契約機器側は、前記端末によって登録または選択された第１ＰＬＭＮに従って、前記第１ＰＬＭＮに対応する第１ＵＥ能力識別子情報を決定する。
【０１８２】
一実施形態において、前記端末によって同時に登録または選択されるＰＬＭＮは１つまたは複数であり、前記端末は、対応するＵＥ能力識別子情報を各ＰＬＭＮに対して報告する。
【０１８３】
一実施形態において、前記ＵＥ能力識別子情報とＵＥ能力情報との対応関係はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応するＵＥ能力識別子情報とＵＥ能力情報との対応関係を決定し、それにより、前記端末の第１ＵＥ能力識別子情報に対応する第１ＵＥ能力情報を決定する。
【０１８４】
一実施形態において、前記端末の第１ＵＥ能力識別子情報はネットワークスライスに基づいて決定され、ここで、前記第１アクセスネットワーク機器側または前記コアネットワーク機器側または前記契約機器側は、前記端末によって登録または選択された第１ネットワークスライスに従って、前記第１ネットワークスライスに対応する第１ＵＥ能力識別子情報を決定する。
【０１８５】
一実施形態において、前記端末によって同時に登録または選択されたネットワークスライスは１つまたは複数であり、前記端末は、対応するＵＥ能力識別子情報を各ネットワークスライスに対して報告する。
【０１８６】
一実施形態において、前記端末の第１ＵＥ能力識別子情報と第１ＵＥ能力情報との対応関係がＰＬＭＮに基づいて決定された場合、前記第１ＵＥ能力識別子情報はＰＬＭＮに基づく情報であり、前記ＰＬＭＮベースの第１ＵＥ能力識別子情報は異なるフォーマットを有し、前記フォーマットは、ＵＥ能力識別子情報の長さおよび／またはＵＥ能力識別子情報に含まれた情報を指す。さらに、前記ＰＬＭＮベースの第１ＵＥ能力識別子情報のフォーマットはプロトコルで事前に定義される。
【０１８７】
例示的に、前記第１ＵＥ能力識別子情報が前記端末によって報告される時に、前記端末は、前記第１ＵＥ能力識別子情報によってサポートされるフォーマット情報をさらに報告する。
【０１８８】
当業者は、図６に示される端末能力の取得装置の各ユニットによって実現される機能は、前述の端末能力の取得方法に関する説明を参照することによって理解され得ることを理解されたい。図６に示される端末能力の取得装置の各ユニットの機能は、プロセッサで実行されるプログラムによって実現されてもよいし、特定の論理回路によって実現されてもよい。
【０１８９】
本出願の実施例で上記した端末能力の取得装置がソフトウェア機能モジュールの形で実現され、スタンドアロン製品として販売または使用される場合、コンピュータ読み取り可能な記憶媒体に記憶されてもよい。このような理解に基づいて、本出願の実施例の技術的解決策は、本質的に、または既存の技術に貢献する部分は、ソフトウェア製品の形で具現されることができ、当該コンピュータソフトウェア製品は、１つの記憶媒体に記憶されて、一台のコンピュータ機器（パーソナルコンピュータ、サーバ、またはネットワーク機器などであリ得る）が本出願の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本出願の実施例は、いずれかのハードウェアおよびソフトウェアの特定の組み合わせに限定されない。
【０１９０】
対応的に、本出願の実施例は、コンピュータ実行可能な命令記憶されたコンピュータ記憶媒体をさらに提供し、当該コンピュータ実行可能な命令がプロセッサによって実行されると、本出願の実施例の上記の端末能力の取得方法を実現する。
【０１９１】
図７は、本出願の実施例のコンピュータ機器の構成の概略的な構造図であり、当該コンピュータ機器は、アクセスネットワーク機器、コアネットワーク機器、端末であってもよい。図７に示されるように、コンピュータ機器１００は、１つまたは複数（図では１つだけが示されている）のプロセッサ１００２（プロセッサ１００２は、マイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含み得るが、これらに限定されない）、データを記憶するためのメモリ１００４、および通信機能のための伝送装置１００６を備えることができる。当業者は、図７に示された構造が単なる例示であって、前述の電子装置の構造を限定しないことを理解することができる。例えば、コンピュータ機器１００は、図７に示されたものより多いまたは少ないコンポーネントをさらに備えてもよく、または図７に示されたものとは異なる構成を有してもよい。
【０１９２】
メモリ１００４は、本出願の実施例における方法に対応するプログラム命令／モジュールなどのアプリケーションプログラムのソフトウェアプログラムおよびモジュールを記憶するように構成されることができ、プロセッサ１００２は、メモリ１００４に記憶されたソフトウェアプログラムおよびモジュールを実行することにより、様々な機能アプリケーションおよびデータ処理を実行し、即ち、上記の方法を実現する。メモリ１００４は、高速ランダムアクセスメモリを含んでもよく、１つまたは複数の磁気記憶装置、フラッシュメモリ、または他の不揮発性ソリッドステートメモリなどの不揮発性メモリを含んでもよい。いくつかの具現例において、メモリ１００４は、プロセッサ１００２に対してリモートで配置されたメモリをさらに含むことができ、これらのリモートメモリは、ネットワークを介してコンピュータ機器１００に接続されることができる。上記のネットワークの具現例は、インターネット、イントラネット、ローカルエリアネットワーク、モバイル通信ネットワーク、及びそれらの組み合わせを含むが、これらに限定されない。
【０１９３】
伝送装置１００６は、１つのネットワークを介してデータを受信または送信するように構成される。上記したネットワークの具体的な具現例は、コンピュータ機器１００の通信事業者が提供する無線ネットワークを含むことができる。一具現例において、伝送装置１００６は、基地局を介して他のネットワーク機器と接続してインターネットと通信することができる、ネットワークインターフェースコントローラ（ＮＩＣ：Ｎｅｔｗｏｒｋ  Ｉｎｔｅｒｆａｃｅ  Ｃｏｎｔｒｏｌｌｅｒ）を備える。一具現例において、伝送装置１００６は、無線方式を介してインターネットと通信するように構成される無線周波数（ＲＦ：Ｒａｄｉｏ  Ｆｒｅｑｕｅｎｃｙ）モジュールであってもよい。
【０１９４】
本出願の実施例で説明された技術的解決策は、競合することなく、任意に組み合わせることができる。
【０１９５】
本出願で提供されたいくつかの実施例において、開示された方法およびスマート機器は、他の方法で実現され得ることを理解されたい。上記で説明された機器の実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。なお、表示または議論された各構成要素間の相互結合または直接結合または通信接続は、いくつかのインターフェース、機器またはユニットを介した間接な結合または通信接続であり得、電気的、機械的または他の形態であり得る。
【０１９６】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現することができる。
【０１９７】
なお、本出願の各実施例における各機能ユニットは、全部１つの第２処理ユニットに統合してもよく、各ユニットを別々に１つのユニットとして使用してもよく、２つ以上のユニットを１つのユニットに統合してもよい。上記の統合されたユニットは、ハードウェアの形態で、またはハードウェアおよびソフトウェア機能ユニットの形態で実現することができる。
【０１９８】
上記した内容は、本出願の具体的な実施形態に過ぎないが、本出願の保護範囲はこれに限定されず、当業者は、本出願に開示された技術的範囲内で容易に想到し得る変更または置換は、すべて本出願の保護範囲内に含まれるべきである。
【図１】
2021526336.tif 000003
【図２】
2021526336.tif 000004
【図３】
2021526336.tif 000005
【図４】
2021526336.tif 000006
【図５】
2021526336.tif 000007
【図６】
2021526336.tif 000008
【図７】
2021526336.tif 000009
【国際調査報告】
2021526336.tif 000010
2021526336.tif 000011
2021526336.tif 000012
2021526336.tif 000013